(57)【特許請求の範囲】
【請求項１】
一方の相対する側壁の一方の相対する端部付近に形成されたポケット・支脚部と前記一方の相対する側壁のもう一方の相対する端部付近に形成されたポケット・支脚部とを有し、下に位置する容器と上に位置する容器とが、同じ向きに積み重ねられた際には、下に位置する容器のフランジに、上に位置する容器の支脚が載置されてスタッキングされ、また、スタッキング状態から、上に位置する容器を、水平面上を１８０度回転させることにより、上に位置する容器の支脚が、下に位置する容器のポケットに挿入されてネスティングされるように構成された運搬用容器において、前記ポケット・支脚部の各々が、少なくとも２個以上の支脚を有しているとともに、前記一方の相対する側壁の一方の相対する端部付近に形成されたポケット・支脚部が、前記一方の相対する側壁の端部側に形成された１個の幅広支脚と該幅広支脚の容器中央寄りに形成された幅狭支脚とにより構成されており、且つ、前記幅広支脚の幅が、前記ポケット・支脚部を構成する運搬用容器の中央寄りに形成された幅狭ポケットの幅より広く形成されていることを特徴とする運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器が、下に位置する容器に嵌め込まれ、、所謂、ネスティングされ、また、内容物が収納された容器を積み重ねる際には、上に位置する容器が、下に位置する容器に嵌め込まれないように積み重ねられる、所謂、スタッキングされることが可能な運搬用容器に関するものである。
【０００２】
【従来の技術】
容器の側壁の両端部付近に、側壁の内壁に形成された容器の深さのほぼ半分の深さを有するポケットと、側壁の外壁に形成された支脚との組み合わせからなるポケット支脚部を、それぞれ、形成した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、水平面上を１８０度回転させることにより、上に位置する容器の支脚が、下に位置する容器のポケットに挿入されて、上に位置する容器が、下に位置する容器に、ほぼ半分程度、嵌め込まれる、所謂、ネスティングされることになる。
【０００３】
また、従来より、上に位置する容器の一方を持ち上げるとともに、持ち上げられた側と反対側に位置する支脚を、下に位置する容器のフランジに沿ってスライドさせることにより、上に位置する容器を、下に位置する容器上に積み重ねる、所謂、スライドスタッキングが行われている。そして、スムースなスライドスタッキングが可能なように、側壁の全面に亘たって、所定の間隔で、多数のポケットや支脚を形成した容器が知られている（例えば、本出願人の先の出願に係る特開平６−１４４４４５号公報、特開平１１−１８０４４７号公報等）。
【０００４】
更に、１個のポケットと１個の支脚からなるポケット・支脚部を、側壁の両端部付近に形成して、大箱と半箱をスタッキングできるようにした容器が知られている（例えば、本出願人の先の出願に係る実用新案登録第２５６５６４４号公報）。
【０００５】
【発明が解決しようとする課題】
上述した、従来の１個のポケットと１個の支脚からなるポケット・支脚部を、側壁の両端部付近に形成したものは、大箱と半箱の大きさの異なる２種類程度の容器を製造することができるが、互いにスライドスタッキング可能な大きさの異なる多数の容器のセットを製造することができないという問題があった。
【０００６】
また、上に位置する容器の一方を持ち上げるとともに、持ち上げられた側と反対側に位置する支脚を、下に位置する容器のフランジに沿ってスライドさせることにより、上に位置する容器を、下に位置する容器上に積み重ねる、所謂、スライドスタッキングが行われるが、この際に、上に位置する容器の支脚が、下に位置する容器のポケットに嵌まり込み、スライドスタッキングが、スムースに行えないという問題があった。
【０００７】
更に、スタッキング状態において、上に位置する容器の底部の４つの角部付近に位置する幾つかの支脚が、下に位置する容器のフランジに載置されず、ポケットの開口に位置するために、上に位置する容器がふらつき、安定した状態でスタッキングされないという問題があった。
【０００８】
本発明の目的は、上述した従来の運搬用容器が有する課題を解決するとともに、多数の容器の収容効率の向上した運搬用容器を提供することにある。
【０００９】
【課題を解決するための手段】
本発明は、上述した目的を達成するために、一方の相対する側壁の一方の相対する端部付近に形成されたポケット・支脚部と前記一方の相対する側壁のもう一方の相対する端部付近に形成されたポケット・支脚部とを有し、下に位置する容器と上に位置する容器とが、同じ向きに積み重ねられた際には、下に位置する容器のフランジに、上に位置する容器の支脚が載置されてスタッキングされ、また、スタッキング状態から、上に位置する容器を、水平面上を１８０度回転させることにより、上に位置する容器の支脚が、下に位置する容器のポケットに挿入されてネスティングされるように構成された運搬用容器において、前記ポケット・支脚部の各々が、少なくとも２個以上の支脚を有しているとともに、前記一方の相対する側壁の一方の相対する端部付近に形成されたポケット・支脚部を、前記一方の相対する側壁の端部側に形成された１個の幅広支脚と該幅広支脚の容器中央寄りに形成された幅狭支脚とにより構成し、且つ、前記幅広支脚の幅を、前記ポケット・支脚部を構成する運搬用容器の中央寄りに形成された幅狭ポケットの幅より広く形成したものである。
【００１０】
【実施例】
以下に、本発明の実施例について説明するが、本発明の趣旨を越えない限り何ら、本実施例に限定されるものではない。
【００１１】
以下に、図１〜図６を用いて、一例としての容器について説明する。
【００１２】
Ｃ１は、合成樹脂で一体に成形された容器であり、容器Ｃ１は、相対する長辺側壁１ａ、１ｂと相対する短辺側壁２ａ、２ｂと底部３とを有しており、長辺側壁１ａ、１ｂと短辺側壁２ａ、２ｂの上端には、外方向に延設された水平なフランジ４が、容器Ｃの開口部を囲むように形成されている。５は、容器Ｃ１の外壁の中程の高さの角部付近に形成された、外方向に延設された中間水平リブであり、６は、フランジ４と中間水平リブ５の間に形成された、容器Ｃ１の外壁から外方向に延設する上部水平リブであり、また、フランジ４と上部水平リブ６と中間水平リブ５を連結する垂直リブ７が、適当数、形成されている。
【００１３】
長辺側壁１ａ、１ｂの相対する両端部付近には、それぞれ、長辺側壁１ａ、１ｂの側壁を、外側に膨出させることにより形成された、容器Ｃ１の深さの略半分の深さを有し、且つ、容器Ｃ１の内側及び上部が開放され、フランジ４に開口を有するポケットと、ポケットに、長辺側壁１ａ、１ｂの外壁に形成された支脚とからなる後述するポケット・支脚部Ｈが形成されている。
【００１４】
長辺側壁１ａ、１ｂの一方の相対する端部付近に形成されたポケット・支脚部Ｈ１は、長辺側壁１ａ、１ｂの一方の端部側（短辺側壁２ａ側）に形成された外幅（フランジ４の長さ方向に沿った外幅）ｗ１の広い支脚（以下、幅広支脚という。）ｓ１と、幅広支脚ｓ１の容器Ｃ１の中央寄りに形成された外幅ｗ２の狭い支脚（以下、幅狭支脚という。）ｓ２とを有するとともに、上記の幅狭支脚ｓ２の容器Ｃ１の中央寄りには、幅狭支脚ｓ２に、内幅ｗ３が、後述するポケットの内幅より狭いポケット（以下、幅狭ポケットという。）ｐ１が２個、形成されている。そして、幅広支脚ｓ１の中心線と幅狭支脚ｓ２の中心線との間隔、幅狭支脚ｓ２の中心線と該幅狭支脚ｓ２に配置された幅狭ポケットｐ１の中心線との間隔及び該幅狭ポケットｐ１の中心線と該幅狭ポケットｐ１に配置された幅狭ポケットｐ１の中心線との間隔は、全て、同じ間隔ｄ１に形成されている。換言すれば、幅広支脚ｓ１、幅狭支脚ｓ２、２個の幅狭ポケットｐ１は、全て等間隔に配置されている。なお、ｓ１ａは、幅広支脚ｓ１の下部水平リブｓ２ｂの下面に形成された公知の寄せリブであり、また、ｓ２ａは、幅狭支脚ｓ２の下面に形成された同様の公知の寄せリブである。容器をスタッキングさせた際に、上に位置する容器に形成された寄せリブが、下に位置する容器の開口部に挿入され、上に位置する容器が、水平方向に大きく移動しないように構成されており、安定した状態で、スタッキングできるように構成されている。
【００１５】
長辺側壁１ａ、１ｂのもう一方の相対する端部付近に形成されたポケット・支脚部Ｈ２は、長辺側壁１ａ、１ｂのもう一方の端部側（短辺側壁２ｂ側）に形成された、上述した幅狭ポケットｐ１の内幅より広い内幅ｗ４を有するポケット（以下、幅広ポケットという。）ｐ２と、幅広ポケットｐ２の容器Ｃ１の中央寄りに形成された上述した幅狭ポケットｐ１とを有するとともに、幅狭ポケットｐ１の容器Ｃ１の中央寄りには、幅狭ポケットｐ１に、上述した２個の幅狭支脚ｓ２が形成されている。そして、幅広ポケットｐ２の中心線と幅狭ポケットｐ１の中心線との間隔、幅狭ポケットｐ１の中心線と該幅狭ポケットｐ１に配置された幅狭支脚ｓ２の中心線との間隔及び２個の幅狭支脚ｓ２の中心線間の間隔は、全て、同じ間隔で、且つ、上述したポケット・支脚部Ｈ１を構成する幅広支脚ｓ１、幅狭支脚ｓ２、２個の幅狭ポケットｐ１の間隔ｄ１と同じ間隔ｄ１に形成されている。
【００１６】
ポケット・支脚部Ｈ１の幅広支脚ｓ１は、ポケット・支脚部Ｈ２の幅広ポケットｐ２に挿入されるが、幅狭ポケットｐ１には挿入されないような外幅ｗ１を有しており、また、ポケット・支脚部Ｈ１の幅狭支脚ｓ２は、ポケット・支脚部Ｈ２の幅狭ポケットｐ１に挿入されるような外幅ｗ２を有している。また、ポケット・支脚部Ｈ２の２個の幅狭支脚ｓ２は、ポケット・支脚部Ｈ１の２個の幅狭ポケットｐ１に挿入されるような外幅ｗ２を有している。
【００１７】
図４に示されているように、下に位置する容器Ｃ１ｂと上に位置する容器Ｃ１ｕとが、同じ向きに配置された場合、即ち、下に位置する容器Ｃ１ｂのポケット・支脚部Ｈ１の上に、上に位置する容器Ｃ１ｕのポケット・支脚部Ｈ１が配置され、また、下に位置する容器Ｃ１ｂのポケット・支脚部Ｈ２の上に、上に位置する容器Ｃ１ｕのポケット・支脚部Ｈ２が配置された場合には、上に位置する容器Ｃ１ｕのポケット・支脚部Ｈ１の幅広支脚ｓ１と幅狭支脚ｓ２及びポケット・支脚部Ｈ２の２個の幅狭支脚ｓ２が、下に位置する容器Ｃ１ｂのフランジ４に載置されて、上に位置する容器Ｃ１ｕが、下に位置する容器Ｃ１ｂに嵌め込まれないように積み重ねられる、所謂、スタッキングされるように構成されている。このように、上に位置する容器Ｃ１ｕの長辺側壁１ａ、１ｂの一方の相対する端部付近に形成されたポケット・支脚部Ｈ１の幅広支脚ｓ１と幅狭支脚ｓ２及び長辺側壁１ａ、１ｂのもう一方の相対する端部付近に形成されたポケット・支脚部Ｈ２の２個の幅狭支脚ｓ２が、下に位置する容器Ｃ１ｂのフランジ４に載置されるように構成されており、上に位置する容器Ｃ１ｕの底部４の４つの角部付近において、それぞれ、各ポケット・支脚部Ｈ１、Ｈ２の少なくとも１個の幅広支脚ｓ１或いは幅狭支脚ｓ２により、上に位置する容器Ｃ１ｕが、下に位置する容器Ｃ１ｂのフランジ４に支持されているので、上に位置する容器Ｃ１ｕが、下に位置する容器Ｃ１ｂに対して傾斜することなく、安定した状態でスタッキングできる。上記のように、上に位置する容器Ｃ１ｕの底部４の４つの角部付近に位置する、少なくとも１個の幅広支脚ｓ１或いは幅狭支脚ｓ２が、全て、下に位置する容器Ｃ１ｂのフランジ４に支持されていない場合、例えば、上に位置する容器Ｃ１ｕの底部４の４つの角部の１つの角部付近に位置する幅広支脚ｓ１或いは幅狭支脚ｓ２が、下に位置する容器Ｃ１ｂの幅広ポケットｐ２或いは幅狭ポケットｐ１の開口に位置し、幅広支脚ｓ１或いは幅狭支脚ｓ２が宙に浮いた状態にあると、上に位置する容器Ｃ１ｕは、その底部３の４つの角部のうち、３つの角部付近に位置する幅広支脚ｓ１或いは幅狭支脚ｓ２により、３点支持されることになり、従って、上に位置する容器Ｃ１ｕの支持されていない、宙に浮いた幅広支脚ｓ１或いは幅狭支脚ｓ２が、下に位置する容器Ｃ１ｂの幅広ポケットｐ２或いは幅狭ポケットｐ１に落ち込んで、上に位置する容器Ｃ１ｕが傾斜し、安定した状態でスタッキングされないという問題が生じることになる。
【００１８】
また、スタッキング状態から、上に位置する容器Ｃ１ｕを、水平面上を１８０度回転させることにより、上に位置する容器Ｃ１ｕのポケット・支脚部Ｈ１の幅広支脚ｓ１と幅狭支脚ｓ２が、下に位置する容器Ｃ１ｂのポケット・支脚部Ｈ２の幅広ポケットｐ２と幅狭ポケットｐ１に、それぞれ挿入されるとともに、上に位置する容器Ｃ１ｕのポケット・支脚部Ｈ２の２個の幅狭支脚ｓ２が、下に位置する容器Ｃ１ｂのポケット・支脚部Ｈ１の２個の幅狭ポケットｐ１に、それぞれ挿入されて、図５に示されているように、上に位置する容器Ｃ１ｕが、下に位置する容器Ｃ１ｂに、ほぼ半分程度、嵌め込まれる、所謂、ネスティングされるように構成されている。
【００１９】
スライドスタッキングする際には、上に位置する容器Ｃ１ｕのポケット・支脚部Ｈ１の幅広支脚ｓ１を、下に位置する容器Ｃ１ｂの長辺側壁１ａ、１ｂ側で、且つ、下に位置する容器Ｃ１ｂのポケット・支脚部Ｈ１とポケット・支脚部Ｈ２との間に位置するフランジ４上に載置するとともに、上に位置する容器Ｃ１ｕの底部３を、下に位置する容器Ｃ１ｂのポケット・支脚部Ｈ２側に位置する短辺側壁２ｂに載置し、次いで、上に位置する容器Ｃ１ｕを、下に位置する容器Ｃ１ｂの短辺側壁２ａ方向にスライドさせることにより、下に位置する容器Ｃ１ｂの上に、上に位置する容器Ｃ１ｕをスライドスタッキングすることができる。上記のスライドスタッキングの際に、上に位置する容器Ｃ１ｕのポケット・支脚部Ｈ１の幅広支脚ｓ１と幅狭支脚ｓ２が、下に位置する容器Ｃ１ｂのポケット・支脚部Ｈ１の２個の幅狭ポケットｐ１の上を通過することになるが、上に位置する容器Ｃ１ｕのポケット・支脚部Ｈ１の幅広支脚ｓ１の外幅ｗ１は、下に位置する容器Ｃ１ｂのポケット・支脚部Ｈ１の２個の幅狭ポケットｐ１の内幅ｗ３より広いので、上に位置する容器Ｃ１ｕのポケット・支脚部Ｈ１の幅広支脚ｓ１と幅狭支脚ｓ２が、下に位置する容器Ｃ１ｂのポケット・支脚部Ｈ１の２個の幅狭ポケットｐ１に落ち込むようなことがなく、従って、スムースにスライドスタッキングを行うことができる。
【００２０】
また、上に位置する容器Ｃ１ｕのポケット・支脚部Ｈ２の短辺側壁２ｂ側の幅狭支脚ｓ２を、下に位置する容器Ｃ１ｂの長辺側壁１ａ、１ｂ側で、且つ、下に位置する容器Ｃ１ｂのポケット・支脚部Ｈ１とポケット・支脚部Ｈ２との間に位置するフランジ４上に載置するとともに、上に位置する容器Ｃ１ｕの底部３を、下に位置する容器Ｃ１ｂのポケット・支脚部Ｈ１側に位置する短辺側壁２ａに載置し、次いで、上に位置する容器Ｃ１ｕを、下に位置する容器Ｃ１ｂの短辺側壁２ｂ方向にスライドさせることにより、下に位置する容器Ｃ１ｂの上に、上に位置する容器Ｃ１ｕをスライドスタッキングする場合には、図４に示されているように、上に位置する容器Ｃ１ｕのポケット・支脚部Ｈ２の２個の幅狭支脚ｓ２は、共に、下に位置する容器Ｃ１ｂのポケット・支脚部Ｈ２の幅狭ポケットｐ１に達することなくスタッキングされるので、上に位置する容器Ｃ１ｕのポケット・支脚部Ｈ２の２個の幅狭支脚ｓ２が、下に位置する容器Ｃ１ｂのポケット・支脚部Ｈ２の幅狭ポケットｐ１及び幅広ポケットｐ２に落ち込むようなことがなく、従って、スムースなスライドスタッキングができる。
【００２１】
次に、図７〜図１１を用いて、上述した容器Ｃ１の長辺側壁１ａ、１ｂの略２倍の長さの長辺側壁１ａ、１ｂを有する容器（以下、２倍容器という。）Ｃ２について説明する。なお、２倍容器Ｃの短辺側壁、底部、フランジ等は、上述した容器Ｃ１（以下、便宜的に、基準容器という。）と同じ構成であるので、その説明は省略するとともに、同じ符号を使用した。
【００２２】
２倍容器Ｃ２の長辺側壁１ａ、１ｂの一方の相対する端部付近には、上述した幅広支脚ｓ１と幅狭支脚ｓ２と２個のポケットｐ１とからなるポケット・支脚部Ｈ１が形成されており、また、長辺側壁１ａ、１ｂのもう一方の相対する端部付近には、上述した幅広ポケットｐ２、幅狭ポケットｐ２及び２個の幅狭支脚ｓ２とからなるポケット・支脚部Ｈ２が形成されている。
【００２３】
上述した基準容器Ｃ１と同様に、図９に示されているように、下に位置する２倍容器Ｃ２ｂと上に位置する２倍容器Ｃ２ｕとが、同じ向きに配置された場合には、上に位置する２倍容器Ｃ２ｕが、下に位置する２倍容器Ｃ２ｂに嵌め込まれないように積み重ねられる、所謂、スタッキングされるように構成されており、また、スタッキング状態から、上に位置する２倍容器Ｃ２ｕを、水平面上を１８０度回転させることにより、図１０に示されているように、上に位置する２倍容器Ｃ２ｕが、下に位置する２倍容器Ｃ２ｂに、ほぼ半分程度、嵌め込まれる、所謂、ネスティングされるように構成されている。更に、２倍容器Ｃ２同士をスライドスタッキングする場合にも、上述した基準容器Ｃ１と同様に行うことができる。
【００２４】
また、図１１に示されているように、２倍容器Ｃ２の上に、２個の基準容器Ｃ１をスタッキングすることができるが、この場合にも、上に位置する最初にスライドスタッキングする基準容器Ｃ１のポケット・支脚部Ｈ１の幅広支脚ｓ１を、下に位置する２倍容器Ｃ２の長辺側壁１０ａ、１０ｂ側で、且つ、下に位置する２倍容器Ｃ２のポケット・支脚部Ｈ１とポケット・支脚部Ｈ２との間に位置するフランジ４上に載置するとともに、上に位置する最初にスライドスタッキングする基準容器Ｃ１の底部３を、下に位置する２倍容器Ｃ２の短辺側壁２ｂに載置し、次いで、上に位置する最初にスライドスタッキングする基準容器Ｃ１を、下に位置する２倍容器Ｃ２の短辺側壁２ａ方向にスライドさせることにより、下に位置する２倍容器Ｃ２の上に、上に位置する最初の基準容器Ｃ１をスライドスタッキングする。上記のスライドスタッキングの際に、上に位置する最初にスライドスタッキングする基準容器Ｃ１のポケット・支脚部Ｈ１の幅広支脚ｓ１と幅狭支脚ｓ２は、下に位置する２倍容器Ｃ２のポケット・支脚部Ｈ１の２個の幅狭ポケットｐ１の上を通過することになるが、上述した基準容器Ｃ１同士のスライドスタッキングの場合と同様に、上に位置する最初にスライドスタッキングする基準容器Ｃ１のポケット・支脚部Ｈ１の幅広支脚ｓ１の外幅ｗ１は、下に位置する２倍容器Ｃ２のポケット・支脚部Ｈ１の２個の幅狭ポケットｐ１の内幅ｗ３より広いので、上に位置する最初にスライドスタッキングする基準容器Ｃ１のポケット・支脚部Ｈ１の幅広支脚ｓ１と幅狭支脚ｓ２が、下に位置する２倍容器Ｃ２のポケット・支脚部Ｈ１の２個の幅狭ポケットｐ１に落ち込むようなことがなく、従って、スムースなスライドスタッキングを行うことができる。次に、最初にスライドスタッキングする基準容器Ｃ１と同様に、２番目の基準容器Ｃ１もスライドスタッキングすることができる。そして、スタッキング状態においては、上に位置する２個の基準容器Ｃ１は、いずれも、ポケット・支脚部Ｈ１の幅広支脚ｓ１と幅狭支脚ｓ２及びポケット・支脚部Ｈ２の２個の幅狭支脚ｓ２が、下に位置する２倍容器Ｃ２のフランジ４に載置されるように構成されている。換言すれば、上に位置する基準容器Ｃ１の底部４の４つの角部付近において、それぞれ、各ポケット・支脚部Ｈ１、Ｈ２の少なくとも１個の幅広支脚ｓ１或いは幅狭支脚ｓ２により、上に位置する基準容器Ｃ１が、下に位置する２倍容器Ｃ２のフランジ４に支持されているので、上に位置する基準容器Ｃ１が、下に位置する２倍容器Ｃ２に対して傾斜することなく、安定した状態でスタッキングできる。
【００２５】
図１２には、上述したポケット・支脚部Ｈ１、Ｈ２とは別のポケット・支脚部Ｈ３、Ｈ４を有する容器Ｃ３が示されている。
【００２６】
この実施例においては、長辺側壁１ａ、１ｂの一方の相対する端部付近に形成されたポケット・支脚部Ｈ３は、長辺側壁１ａ、１ｂの一方の端部側（短辺側壁２ａ側）に形成された幅広支脚ｓ１と、幅広支脚ｓ１の容器Ｃ３の中央寄りに形成された幅狭支脚ｓ２と、幅狭支脚ｓ２の容器Ｃ３の中央寄りに形成された幅狭ポケットｐ１と、幅狭ポケットｐ１の容器Ｃ３の中央寄りに形成された幅広ポケットｐ２とから構成されている。そして、幅広支脚ｓ１の中心線と幅狭支脚ｓ２の中心線との間隔、幅狭支脚ｓ２の中心線と幅狭ポケットｐ１の中心線との間隔及び幅狭ポケットｐ１の中心線と幅広ポケットｐ２の中心線との間隔は、全て同じ間隔ｄ１に形成されている。また、長辺側壁１ａ、１ｂのもう一方の相対する端部付近に形成されたポケット・支脚部Ｈ４は、長辺側壁１ａ、１ｂのもう一方の端部側（短辺側壁２ｂ側）に形成された幅広ポケットｐ２と、幅広ポケットｐ２の容器Ｃ３の中央寄りに形成された幅狭ポケットｐ１と、幅狭ポケットｐ１の容器Ｃ３の中央寄りに形成された幅狭支脚ｓ２と、幅狭支脚ｓ２の容器Ｃ３の中央寄りに形成された幅広支脚ｓ１とから構成されている。そして、幅狭ポケットｐ２の中心線と幅狭ポケットｐ１の中心線との間隔、幅狭ポケットｐ１の中心線と幅狭支脚ｓ２の中心線との間隔及び幅狭支脚ｓ２の中心線と幅広支脚ｓ１の中心線との間隔は、全て同じで、上記のポケット・支脚部Ｈ３における間隔ｄ１と同じ間隔ｄ１に形成されている。そして、このようなポケット・支脚部Ｈ３、Ｈ４を有する容器Ｃ３も、上述した基準容器Ｃ１や２倍容器Ｃ２に適用することができる。
【００２７】
図１３には、上述したポケット・支脚部Ｈ１、Ｈ２とは更に別のポケット・支脚部Ｈ５、Ｈ６を有する容器Ｃ４が示されている。
【００２８】
この実施例においては、長辺側壁１ａ、１ｂの一方の相対する端部付近に形成されたポケット・支脚部Ｈ５は、長辺側壁１ａ、１ｂの一方の端部側（短辺側壁２ａ側）に形成された幅広支脚ｓ１と、幅広支脚ｓ１の容器Ｃ４の中央寄りに形成された幅狭支脚ｓ２と、幅狭支脚ｓ２の容器Ｃ４の中央寄りに形成された幅広ポケットｐ２と、幅広ポケットｐ２の容器Ｃ４の中央寄りに形成された幅狭ポケットｐ１とから構成されている。そして、幅広支脚ｓ１の中心線と幅狭支脚ｓ２の中心線との間隔、幅狭支脚ｓ２の中心線と幅広ポケットｐ２の中心線との間隔及び幅広ポケットｐ２の中心線と幅狭ポケットｐ１の中心線との間隔は、全て同じ間隔ｄ１に形成されている。また、長辺側壁１ａ、１ｂのもう一方の相対する端部付近に形成されたポケット・支脚部Ｈ６は、長辺側壁１ａ、１ｂのもう一方の端部側（短辺側壁２ｂ側）に形成された幅広ポケットｐ２と、幅広ポケットｐ２の容器Ｃ４の中央寄りに形成された幅狭ポケットｐ１と、幅狭ポケットｐ１の容器Ｃ４の中央寄りに形成された幅広支脚ｓ１と、幅広支脚ｓ１の容器Ｃ４の中央寄りに形成された幅狭支脚ｓ２とから構成されている。そして、幅広ポケットｐ２の中心線と幅狭ポケットｐ１の中心線との間隔、幅狭ポケットｐ１の中心線と幅広支脚ｓ１の中心線との間隔及び幅広支脚ｓ１の中心線と幅狭支脚ｓ２の中心線との間隔は、全て同じで、上記のポケット・支脚部Ｈ５における間隔ｄ１と同じ間隔ｄ１に形成されている。そして、このようなポケット・支脚部Ｈ５、Ｈ６を有する容器Ｃ４も、上述した基準容器Ｃ１や２倍容器Ｃ２に適用することができる。
【００２９】
図１４には、上述したポケット・支脚部Ｈ１、Ｈ２とは更にまた別のポケット・支脚部Ｈ７、Ｈ８を有する容器Ｃ５が示されている。
【００３０】
この実施例においては、長辺側壁１ａ、１ｂの一方の相対する端部付近に形成されたポケット・支脚部Ｈ７は、長辺側壁１ａ、１ｂの一方の端部側（短辺側壁２ａ側）に形成された幅広支脚ｓ１と、幅広支脚ｓ１の容器Ｃ５の中央寄りに形成された幅広ポケットｐ２と、幅広ポケットｐ２の容器Ｃ５の中央寄りに形成された幅狭支脚ｓ２と、幅狭支脚ｓ２の容器Ｃ５の中央寄りに形成された幅狭ポケットｐ１とから構成されている。そして、幅広支脚ｓ１の中心線と幅広ポケットｐ２の中心線との間隔、幅広ポケットｐ２の中心線と幅狭支脚ｓ２の中心線との間隔及び幅狭支脚ｓ２の中心線と幅狭ポケットｐ１の中心線との間隔は、全て同じ間隔ｄ１に形成されている。また、長辺側壁１ａ、１ｂのもう一方の相対する端部付近に形成されたポケット・支脚部Ｈ８は、長辺側壁１ａ、１ｂのもう一方の端部側（短辺側壁２ｂ側）に形成された幅広ポケットｐ２と、幅広ポケットｐ２の容器Ｃ５の中央寄りに形成された幅広支脚ｓ１と、幅広支脚ｓ１の容器Ｃ５の中央寄りに形成された幅狭ポケットｐ１と、幅狭ポケットｐ１の容器Ｃ５の中央寄りに形成された幅狭支脚ｓ２とから構成されている。そして、幅広ポケットｐ２の中心線と幅広支脚ｓ１の中心線との間隔、幅広支脚ｓ１の中心線と幅狭ポケットｐ１の中心線との間隔及び幅狭ポケットｐ１の中心線と幅狭支脚ｓ２の中心線との間隔は、全て同じで、上記のポケット・支脚部Ｈ７における間隔ｄ１と同じ間隔ｄ１に形成されている。そして、このようなポケット・支脚部Ｈ７、Ｈ８を有する容器Ｃ５も、上述した基準容器Ｃ１や２倍容器Ｃ２に適用することができる。
【００３１】
図１５には、上述したポケット・支脚部Ｈ１、Ｈ２とは更にまた別のポケット・支脚部Ｈ９、Ｈ１０を有する容器Ｃ６が示されている。
【００３２】
この実施例においては、長辺側壁１ａ、１ｂの一方の相対する端部付近に形成されたポケット・支脚部Ｈ９は、長辺側壁１ａ、１ｂの一方の端部側（短辺側壁２ａ側）に形成された幅広支脚ｓ１と、幅広支脚ｓ１の容器Ｃ６の中央寄りに形成された幅狭ポケットｐ１と、幅狭ポケットｐ１の容器Ｃ６の中央寄りに形成された幅狭支脚ｓ２と、幅狭支脚ｓ２の容器Ｃ６の中央寄りに形成された幅広ポケットｐ２とから構成されている。そして、幅広支脚ｓ１の中心線と幅狭ポケットｐ１の中心線との間隔、幅狭ポケットｐ１の中心線と幅狭支脚ｓ２の中心線との間隔及び幅狭支脚ｓ２の中心線と幅広ポケットｐ２の中心線との間隔は、全て同じ間隔ｄ１に形成されている。また、長辺側壁１ａ、１ｂのもう一方の相対する端部付近に形成されたポケット・支脚部Ｈ１１は、長辺側壁１ａ、１ｂのもう一方の端部側（短辺側壁２ｂ側）に形成された幅広ポケットｐ２と、幅広ポケットｐ２の容器Ｃ６の中央寄りに形成された幅狭支脚ｓ２と、幅狭支脚ｓ２の容器Ｃ６の中央寄りに形成された幅狭ポケットｐ１と、幅狭ポケットｐ１の容器Ｃ６の中央寄りに形成された幅広支脚ｓ１とから構成されている。そして、幅広ポケットｐ２の中心線と幅広支脚ｓ１の中心線との間隔、幅広支脚ｓ１の中心線と幅狭ポケットｐ１の中心線との間隔及び幅狭ポケットｐ１の中心線と幅広支脚ｓ１の中心線との間隔は、全て同じで、上記のポケット・支脚部Ｈ９における間隔ｄ１と同じ間隔ｄ１に形成されている。そして、このようなポケット・支脚部Ｈ９、Ｈ１０を有する容器Ｃ６も、上述した基準容器Ｃ１や２倍容器Ｃ２に適用することができる。
【００３３】
図１６には、上述したポケット・支脚部Ｈ１、Ｈ２とは更にまた別のポケット・支脚部Ｈ１１、Ｈ１２を有する容器Ｃ７が示されている。
【００３４】
この実施例においては、長辺側壁１ａ、１ｂの一方の相対する端部付近に形成されたポケット・支脚部Ｈ１１は、長辺側壁１ａ、１ｂの一方の端部側（短辺側壁２ａ側）に形成された幅広支脚ｓ１と、幅広支脚ｓ１の容器Ｃ７の中央寄りに形成された幅狭ポケットｐ１と、幅狭ポケットｐ１の容器Ｃ７の中央寄りに形成された幅広ポケットｐ２と、幅広ポケットｐ２の容器Ｃ７の中央寄りに形成された幅狭支脚ｓ２とから構成されている。そして、幅広支脚ｓ１の中心線と幅狭ポケットｐ１の中心線との間隔、幅狭ポケットｐ１の中心線と幅広ポケットｐ２の中心線との間隔及び幅広ポケットｐ２の中心線と幅狭支脚ｓ２の中心線との間隔は、全て同じ間隔ｄ１に形成されている。また、長辺側壁１ａ、１ｂのもう一方の相対する端部付近に形成されたポケット・支脚部Ｈ１２は、長辺側壁１ａ、１ｂのもう一方の端部側（短辺側壁２ｂ側）に形成された幅広ポケットｐ２と、幅広ポケットｐ２の容器Ｃ７の中央寄りに形成された幅狭支脚ｓ２と、幅狭支脚ｓ２の容器Ｃ７の中央寄りに形成された幅広支脚ｓ１と、幅広支脚ｓ１の容器Ｃ７の中央寄りに形成された幅狭ポケットｐ１とから構成されている。そして、幅広ポケットｐ２の中心線と幅狭支脚ｓ２の中心線との間隔、幅狭支脚ｓ２の中心線と幅広支脚ｓ１の中心線との間隔及び幅広支脚ｓ１の中心線と幅狭ポケットｐ１の中心線との間隔は、全て同じで、上記のポケット・支脚部Ｈ１１における間隔ｄ１と同じ間隔ｄ１に形成されている。そして、このようなポケット・支脚部Ｈ１１、Ｈ１２を有する容器Ｃ７も、上述した基準容器Ｃ１や２倍容器Ｃ２に適用することができる。
【００３５】
図１７には、上述したポケット・支脚部Ｈ１、Ｈ２とは更にまた別のポケット・支脚部Ｈ１３、Ｈ１４を有する容器Ｃ８が示されている。
【００３６】
この実施例においては、長辺側壁１ａ、１ｂの一方の相対する端部付近に形成されたポケット・支脚部Ｈ１３は、長辺側壁１ａ、１ｂの一方の端部側（短辺側壁２ａ側）に形成された幅広支脚ｓ１と、幅広支脚ｓ１の容器Ｃ８の中央寄りに形成された幅広ポケットｐ２と、幅広ポケットｐ２の容器Ｃ８の中央寄りに形成された幅狭ポケットｐ１と、幅狭ポケットｐ１の容器Ｃ８の中央寄りに形成された幅狭支脚ｓ２とから構成されている。そして、幅広支脚ｓ１の中心線と幅広ポケットｐ２の中心線との間隔、幅広ポケットｐ２の中心線と幅狭ポケットｐ１の中心線との間隔及び幅狭ポケットｐ１の中心線と幅狭支脚ｓ２の中心線との間隔は、全て同じ間隔ｄ１に形成されている。また、長辺側壁１ａ、１ｂのもう一方の相対する端部付近に形成されたポケット・支脚部Ｈ１４は、長辺側壁１ａ、１ｂのもう一方の端部側（短辺側壁２ｂ側）に形成された幅広ポケットｐ２と、幅広ポケットｐ２の容器Ｃ８の中央寄りに形成された幅広支脚ｓ１と、幅広支脚ｓ１の容器Ｃ８の中央寄りに形成された幅狭支脚ｓ２と、幅狭支脚ｓ２の容器Ｃ８の中央寄りに形成された幅狭ポケットｐ１とから構成されている。そして、幅広ポケットｐ２の中心線と幅広支脚ｓ１の中心線との間隔、幅広支脚ｓ１の中心線と幅狭支脚ｓ２の中心線との間隔及び幅狭支脚ｓ２の中心線と幅狭ポケットｐ１の中心線との間隔は、全て同じで、上記のポケット・支脚部Ｈ１３における間隔ｄ１と同じ間隔ｄ１に形成されている。そして、このようなポケット・支脚部Ｈ１３、Ｈ１４を有する容器Ｃ８も、上述した基準容器Ｃ１や２倍容器Ｃ２に適用することができる。
【００３７】
図１８には、上述したポケット・支脚部Ｈ１、Ｈ２とは更にまた別のポケット・支脚部Ｈ１５、Ｈ１６を有する容器Ｃ８が示されている。
【００３８】
この実施例においては、長辺側壁１ａ、１ｂの一方の相対する端部付近に形成されたポケット・支脚部Ｈ１５は、長辺側壁１ａ、１ｂの一方の端部側（短辺側壁２ａ側）に形成された幅広支脚ｓ１と、幅広支脚ｓ１の容器Ｃ９の中央寄りに形成された幅狭ポケットｐ１と、幅狭ポケットｐ１の容器Ｃ９の中央寄りに形成された幅狭支脚ｓ２と、幅狭支脚ｓ２の容器Ｃ９の中央寄りに形成された幅狭ポケットｐ１とから構成されている。そして、幅広支脚ｓ１の中心線と幅狭ポケットｐ１の中心線との間隔、幅狭ポケットｐ１の中心線と幅狭支脚ｓ２の中心線との間隔及び幅狭支脚ｓ２の中心線と幅狭ポケットｐ１の中心線との間隔は、全て同じ間隔ｄ１に形成されている。また、長辺側壁１ａ、１ｂのもう一方の相対する端部付近に形成されたポケット・支脚部Ｈ１６は、長辺側壁１ａ、１ｂのもう一方の端部側（短辺側壁２ｂ側）に形成された幅広ポケットｐ２と、幅広ポケットｐ２の容器Ｃ９の中央寄りに形成された幅狭支脚ｓ２と、幅狭支脚ｓ２の容器Ｃ９の中央寄りに形成された幅狭ポケットｐ１と、幅狭ポケットｐ１の容器Ｃ９の中央寄りに形成された幅狭支脚ｓ２とから構成されている。そして、幅広ポケットｐ２の中心線と幅狭支脚ｓ２の中心線との間隔、幅狭支脚ｓ２の中心線と幅狭ポケットｐ１の中心線との間隔及び幅狭ポケットｐ１の中心線と幅狭支脚ｓ２の中心線との間隔は、全て同じで、上記のポケット・支脚部Ｈ１５における間隔ｄ１と同じ間隔ｄ１に形成されている。そして、このようなポケット・支脚部Ｈ１５、Ｈ１６を有する容器Ｃ９も、上述した基準容器Ｃ１や２倍容器Ｃ２に適用することができる。
【００３９】
図１９には、上述したポケット・支脚部Ｈ１、Ｈ２とは更にまた別のポケット・支脚部Ｈ１７、Ｈ１８を有する容器Ｃ１０が示されている。
【００４０】
この実施例においては、長辺側壁１ａ、１ｂの一方の相対する端部付近に形成されたポケット・支脚部Ｈ１７は、長辺側壁１ａ、１ｂの一方の端部側（短辺側壁２ａ側）に形成された幅広支脚ｓ１と、幅広支脚ｓ１の容器Ｃ１０の中央寄りに形成された幅狭ポケットｐ１と、幅狭ポケットｐ１の容器Ｃ１０の中央寄りに形成された幅狭ポケットｐ１と、幅狭ポケットｐ１の容器Ｃ１０の中央寄りに形成された幅狭支脚ｓ２とから構成されている。そして、幅広支脚ｓ１の中心線と幅狭ポケットｐ１の中心線との間隔、幅狭ポケットｐ１の中心線と同じく幅狭ポケットｐ１の中心線との間隔及び幅狭ポケットｐ１の中心線と幅狭支脚ｓ２の中心線との間隔は、全て同じ間隔ｄ１に形成されている。また、長辺側壁１ａ、１ｂのもう一方の相対する端部付近に形成されたポケット・支脚部Ｈ１８は、長辺側壁１ａ、１ｂのもう一方の端部側（短辺側壁２ｂ側）に形成された幅広ポケットｐ２と、幅広ポケットｐ２の容器Ｃ１０の中央寄りに形成された幅狭支脚ｓ２と、幅狭支脚ｓ２の容器Ｃ１０の中央寄りに形成された幅狭支脚ｓ２と、幅狭支脚ｓ２の容器Ｃ１０の中央寄りに形成された幅狭ポケットｐ１とから構成されている。そして、幅広ポケットｐ２の中心線と幅狭支脚ｓ２の中心線との間隔、幅狭支脚ｓ２の中心線と同じく幅狭支脚ｓ２の中心線との間隔及び幅狭支脚ｓ２の中心線と幅狭ポケットｐ１の中心線との間隔は、全て同じで、上記のポケット・支脚部Ｈ１７における間隔ｄ１と同じ間隔ｄ１に形成されている。そして、このようなポケット・支脚部Ｈ１７、Ｈ１８を有する容器Ｃ１０も、上述した基準容器Ｃ１や２倍容器Ｃ２に適用することができる。
【００４１】
上述した実施例において説明した容器Ｃ１〜Ｃ１０は、ポケット・支脚部Ｈ１〜Ｈ１８を構成する幅広支脚ｓ１、幅狭支脚ｓ２、幅狭ポケットｐ１、幅広ポケットｐ２のうち、接近して配置された幅広支脚ｓ１、幅狭支脚ｓ２、幅狭ポケットｐ１、幅広ポケットｐ２の間隔が、全て同じ、即ち、等間隔であるが、以下に示す実施例は、これらの間隔が、等間隔でない、異なる間隔、即ち、異間隔のものである。
【００４２】
図２０においては、長辺側壁１ａ、１ｂの一方の相対する端部付近に形成されたポケット・支脚部Ｈ１９は、長辺側壁１ａ、１ｂの一方の端部側（短辺側壁２ａ側）に形成された幅広ポケットｐ２と、幅広ポケットｐ２の容器Ｃ１１の中央寄りに形成された幅広支脚ｓ１と、幅広支脚ｓ１の容器Ｃ１１の中央寄りに形成された幅狭ポケットｐ１と、幅狭ポケットｐ１の容器Ｃ１１の中央寄りに形成された幅狭支脚ｓ２とから構成されている。そして、幅広ポケットｐ２の中心線と幅広支脚ｓ１の中心線との間隔ｄ２、幅広支脚ｓ１の中心線と幅狭ポケットｐ１の中心線との間隔ｄ３及び幅狭ポケットｐ１の中心線と幅狭支脚ｓ２の中心線との間隔ｄ４は、全て異なる間隔に形成されている。また、長辺側壁１ａ、１ｂのもう一方の相対する端部付近に形成されたポケット・支脚部Ｈ２０は、長辺側壁１ａ、１ｂのもう一方の端部側（短辺側壁２ｂ側）に形成された幅広支脚ｓ１と、幅広支脚ｓ１の容器Ｃ１１の中央寄りに形成された幅広ポケットｐ２と、幅広ポケットｐ２の容器Ｃ１１の中央寄りに形成された幅狭支脚ｓ２と、幅狭支脚ｓ２の容器Ｃ１１の中央寄りに形成された幅狭ポケットｐ１とから構成されている。そして、幅広支脚ｓ１の中心線と幅広ポケットｐ２の中心線との間隔は、ポケット・支脚部Ｈ１９における幅広ポケットｐ２の中心線と幅広支脚ｓ１の中心線との間隔ｄ２と同じ間隔ｄ２に形成されており、また、幅広ポケットｐ２の中心線と幅狭支脚ｓ２の中心線との間隔は、ポケット・支脚部Ｈ１９における幅広支脚ｓ１の中心線と幅狭ポケットｐ１の中心線との間隔ｄ３と同じ間隔ｄ３に形成されており、更に、幅狭支脚ｓ２の中心線と幅狭ポケットｐ１の中心線との間隔は、ポケット・支脚部Ｈ１９における幅狭ポケットｐ１の中心線と幅狭支脚ｓ２の中心線との間隔ｄ４と同じ間隔ｄ４に形成されている。
【００４３】
上述したようなポケット・支脚部Ｈ１９、Ｈ２０を有する同じ大きさの容器Ｃ１１同士は、下に位置する容器Ｃ１１と上に位置する容器Ｃ１１とが、同じ向きに配置された場合には、上に位置する容器Ｃ１１が、下に位置する容器Ｃ１１に嵌め込まれないように積み重ねられる、所謂、スタッキングされ、また、スタッキング状態から、上に位置する容器Ｃ１１を、水平面上を１８０度回転させることにより、上に位置する容器Ｃ１１が、下に位置する容器Ｃ１１に、ほぼ半分程度、嵌め込まれる、所謂、ネスティングされるように構成されている。また、容器Ｃ１１同士をスライドスタッキングすることもできる。また、容器Ｃ１１を基準容器とし、上述した実施例と同様に、基準容器Ｃ１１の長辺側壁１ａ、１ｂの略２倍の長さの長辺側壁を有する２倍容器とを製造した場合には、２倍容器同士は、上述した２倍容器Ｃ２と同様に、ネスティング及びスタッキング可能であり、下に位置する２倍容器同士に、基準容器Ｃ１１をスライドスタッキングすることができる。
【００４４】
図２１に示されている実施例は、図２０に示されている容器Ｃ１１と同様に異間隔の容器Ｃ１２に関するものである。
【００４５】
図２１においては、長辺側壁１ａ、１ｂの一方の相対する端部付近に形成されたポケット・支脚部Ｈ２１は、長辺側壁１ａ、１ｂの一方の端部側（短辺側壁２ａ側）に形成された幅広支脚ｓ１と、幅広支脚ｓ１の容器Ｃ１２の中央寄りに形成された幅狭ポケットｐ１と、幅狭ポケットｐ１の容器Ｃ１２の中央寄りに形成された幅広ポケットｐ２と、幅広ポケットｐ２の容器Ｃ１２の中央寄りに形成された幅狭支脚ｓ２とから構成されている。そして、幅広支脚ｓ１の中心線と幅狭ポケットｐ１の中心線との間隔、幅狭ポケットｐ１の中心線と幅広ポケットｐ２の中心線との間隔及び幅広ポケットｐ２の中心線と幅狭支脚ｓ２の中心線との間隔は、図２０に示されている容器Ｃ１１のポケット・支脚部Ｈ１９の幅狭ポケットｐ１ように、それぞれ異なっている。また、長辺側壁１ａ、１ｂのもう一方の相対する端部付近に形成されたポケット・支脚部Ｈ２２は、長辺側壁１ａ、１ｂのもう一方の端部側（短辺側壁２ｂ側）に形成された幅広ポケットｐ２と、幅広ポケットｐ２の容器Ｃ１２の中央寄りに形成された幅狭支脚ｓ２と、幅狭支脚ｓ２の容器Ｃ１２の中央寄りに形成された幅広支脚ｓ１と、幅広支脚ｓ１の容器Ｃ１２の中央寄りに形成された幅狭ポケットｐ１とから構成されている。そして、幅広ポケットｐ２の中心線と幅狭支脚ｓ２の中心線との間隔、幅狭支脚ｓ２の中心線と幅広支脚ｓ１の中心線との間隔及び幅広支脚ｓ１の中心線と幅狭ポケットｐ１の中心線との間隔も、図２０に示されている容器Ｃ１１のポケット・支脚部Ｈ２０のように、それぞれ異なっている。
【００４６】
上述したようなポケット・支脚部Ｈ２１、Ｈ２２を有する同じ大きさの容器Ｃ１２同士は、下に位置する容器Ｃ１２と上に位置する容器Ｃ１２とが、同じ向きに配置された場合には、上に位置する容器Ｃ１２が、下に位置する容器Ｃ１２に嵌め込まれないように積み重ねられる、所謂、スタッキングされ、また、スタッキング状態から、上に位置する容器Ｃ１２を、水平面上を１８０度回転させることにより、上に位置する容器Ｃ１２が、下に位置する容器Ｃ１２に、ほぼ半分程度、嵌め込まれる、所謂、ネスティングされる。また、容器Ｃ１２同士をスライドスタッキングすることもできる。また、容器Ｃ１２を基準容器とし、上述した実施例と同様に、基準容器Ｃ１２の長辺側壁１ａ、１ｂの略２倍の長さの長辺側壁を有する２倍容器とを製造した場合には、２倍容器同士は、上述した２倍容器Ｃ２と同様に、ネスティング及びスタッキング可能であり、下に位置する２倍容器同士に、基準容器Ｃ１２をスライドスタッキングすることができる。
【００４７】
図２２に示されている実施例は、図２０に示されている容器Ｃ１１と同様に異間隔の容器Ｃ１３に関するものである。
【００４８】
図２２に示されている実施例においては、長辺側壁１ａ、１ｂの一方の相対する端部付近に形成されたポケット・支脚部Ｈ２３は、長辺側壁１ａ、１ｂの一方の端部側（短辺側壁２ａ側）に形成された幅広ポケットｐ２と、幅広ポケットｐ２の容器Ｃ１２の中央寄りに形成された幅広支脚ｓ１と、幅広支脚ｓ１の容器Ｃ１３の中央寄りに形成された幅狭ポケットｐ１と、幅狭ポケットｐ１の容器Ｃ１３の中央寄りに形成された幅狭支脚ｓ２とから構成されている。そして、幅広ポケットｐ２の中心線と幅広支脚ｓ１の中心線との間隔、幅広支脚ｓ１の中心線と幅狭ポケットｐ１の中心線との間隔及び幅狭ポケットｐ１の中心線と幅狭支脚ｓ２の中心線との間隔は、図２０に示されている容器Ｃ１１のポケット・支脚部Ｈ１９のように、それぞれ異なっている。また、長辺側壁１ａ、１ｂのもう一方の相対する端部付近に形成されたポケット・支脚部Ｈ２４は、長辺側壁１ａ、１ｂのもう一方の端部側（短辺側壁２ｂ側）に形成された幅広支脚ｓ１と、幅広支脚ｓ１の容器Ｃ１３の中央寄りに形成された幅広ポケットｐ２と、幅広ポケットｐ２の容器Ｃ１３の中央寄りに形成された幅狭支脚ｓ２と、幅狭支脚ｓ２の容器Ｃ１３の中央寄りに形成された幅狭ポケットｐ１とから構成されている。そして、幅広支脚ｓ１の中心線と幅広ポケットｐ２の中心線との間隔、幅広ポケットｐ２の中心線と幅狭支脚ｓ２の中心線との間隔及び幅狭支脚ｓ２の中心線と幅狭ポケットｐ１の中心線との間隔も、図２０に示されている容器Ｃ１１のポケット・支脚部Ｈ２０のように、それぞれ異なっている。
【００４９】
上述したようなポケット・支脚部Ｈ２３、Ｈ２４を有する同じ大きさの容器Ｃ１３同士は、下に位置する容器Ｃ１３と上に位置する容器Ｃ１３とが、同じ向きに配置された場合には、上に位置する容器Ｃ１３が、下に位置する容器Ｃ１３に嵌め込まれないように積み重ねられる、所謂、スタッキングされ、また、スタッキング状態から、上に位置する容器Ｃ１３を、水平面上を１８０度回転させることにより、上に位置する容器Ｃ１３が、下に位置する容器Ｃ１３に、ほぼ半分程度、嵌め込まれる、所謂、ネスティングされる。また、容器Ｃ１３同士をスライドスタッキングすることもできる。また、容器Ｃ１３を基準容器とし、上述した実施例と同様に、基準容器Ｃ１３の長辺側壁１ａ、１ｂの略２倍の長さの長辺側壁を有する２倍容器とを製造した場合には、２倍容器同士は、上述した２倍容器Ｃ２と同様に、ネスティング及びスタッキング可能であり、下に位置する２倍容器同士に、基準容器Ｃ１３をスライドスタッキングすることができる。
【００５０】
図２３に示されている実施例は、図２０に示されている容器Ｃ１１と同様に異間隔の容器Ｃ１４に関するものである。
【００５１】
図２３に示されている実施例においては、長辺側壁１ａ、１ｂの一方の相対する端部付近に形成されたポケット・支脚部Ｈ２５は、長辺側壁１ａ、１ｂの一方の端部側（短辺側壁２ａ側）に形成された幅広ポケットｐ２と、幅広ポケットｐ２の容器Ｃ１４の中央寄りに形成された、上述した幅広支脚ｓ１より外幅の広い支脚ｓ３と、該支脚ｓ３の容器Ｃ１４の中央寄りに形成された幅狭ポケットｐ１とから構成されている。そして、幅広ポケットｐ２の中心線と支脚ｓ３の中心線との間隔ｄ５は、支脚ｓ３の中心線と幅狭ポケットｐ１の中心線との間隔ｄ６とは、異なる間隔に形成されている。また、長辺側壁１ａ、１ｂのもう一方の相対する端部付近に形成されたポケット・支脚部Ｈ２６は、長辺側壁１ａ、１ｂのもう一方の端部側（短辺側壁２ｂ側）に形成された幅広支脚ｓ１と、幅広支脚ｓ１の容器Ｃ１４の中央寄りに形成された、上述した幅広ポケットｐ２より内幅の広いポケットｐ３と、該ポケットｐ３の容器Ｃ１４の中央寄りに形成された幅狭支脚ｓ２とから構成されている。そして、幅広支脚ｓ１の中心線とポケットｐ３の中心線との間隔は、上記の幅広ポケットｐ２の中心線と支脚ｓ３の中心線との間隔ｄ５と同じ間隔であり、また、ポケットｐ３の中心線と幅狭支脚ｓ２の中心線との間隔は、上記の支脚ｓ３の中心線と幅狭ポケットｐ１の中心線との間隔ｄ６と同じ間隔に形成されている。そして、上記のポケットｐ３には、上記の支脚ｓ３が挿入可能に形成されている。
【００５２】
上述したようなポケット・支脚部Ｈ２５、Ｈ２６を有する同じ大きさの容器Ｃ１４同士は、下に位置する容器Ｃ１４と上に位置する容器Ｃ１４とが、同じ向きに配置された場合には、上に位置する容器Ｃ１４が、下に位置する容器Ｃ１４に嵌め込まれないように積み重ねられる、所謂、スタッキングされ、また、スタッキング状態から、上に位置する容器Ｃ１４を、水平面上を１８０度回転させることにより、上に位置する容器Ｃ１４が、下に位置する容器Ｃ１４に、ほぼ半分程度、嵌め込まれる、所謂、ネスティングされる。また、容器Ｃ１４同士をスライドスタッキングすることもできる。また、容器Ｃ１４を基準容器とし、上述した実施例と同様に、基準容器Ｃ１４の長辺側壁１ａ、１ｂの略２倍の長さの長辺側壁を有する２倍容器とを製造した場合には、２倍容器同士は、上述した２倍容器Ｃ２と同様に、ネスティング及びスタッキング可能であり、下に位置する２倍容器同士に、基準容器Ｃ１４をスライドスタッキングすることができる。
【００５３】
図２４には、上述した幅広支脚ｓ１、幅狭支脚ｓ２、幅狭ポケットｐ１、幅広ポケットｐ２のうち、接近して配置された幅広支脚ｓ１、幅狭支脚ｓ２、幅狭ポケットｐ１、幅広ポケットｐ２の間隔が、全て同じ、即ち、等間隔である上述したポケット・支脚部Ｈ１〜Ｈ１８が、基準容器Ｃａ、基準容器Ｃａに対して短辺側壁２ａ、２ｂの長さは同じであるが、長辺側壁１ａ、１ｂの長さが、略４／３倍である４／３倍容器Ｃｂ及び基準容器Ｃａに対して短辺側壁２ａ、２ｂの長さは同じであるが、長辺側壁１ａ、１ｂの長さが、略２倍の２倍容器Ｃｃに形成されている、３つの容器のセット例が示されている。
【００５４】
図２４（ａ）に示されている基準容器Ｃａには、長辺側壁１ａ、１ｂの一方の相対する端部付近には、上述したポケット・支脚部Ｈ１が形成されており、また、長辺側壁１ａ、１ｂのもう一方の相対する端部付近には、上述したポケット・支脚部Ｈ２が形成されている例が示されている。また、図２４（ｂ）に示されている４／３倍容器Ｃｂには、長辺側壁１ａ、１ｂの一方の相対する端部付近には、上述したポケット・支脚部Ｈ１５が形成されており、また、長辺側壁１ａ、１ｂのもう一方の相対する端部付近には、上述したポケット・支脚部Ｈ１６が形成されている例が示されている。更に、図２４（ｃ）に示されている２倍容器Ｃｃには、長辺側壁１ａ、１ｂの一方の相対する端部付近には、上述したポケット・支脚部Ｈ１７が形成されており、また、長辺側壁１ａ、１ｂのもう一方の相対する端部付近には、上述したポケット・支脚部Ｈ１７が形成されている例が示されている。
【００５５】
上述した基準容器Ｃａ同士、４／３倍容器Ｃｂ同士及び２倍容器Ｃｃ同士は、上述したように、それぞれ、互いにスタッキング及びネスティングが可能に構成されており、また、スライドスタッキングが可能である。
【００５６】
次に、下に位置する４／３倍容器Ｃｂに対して、基準容器Ｃａをスライドスタッキングする場合について説明する。
【００５７】
下に位置する４／３倍容器Ｃｂのポケット・支脚部Ｈ１５とポケット・支脚部Ｈ１６間に位置するフランジ４に、基準容器Ｃａのポケット・支脚部Ｈ１の幅広支脚ｓ１を載置するとともに、基準容器Ｃａの底部３を、４／３倍容器Ｃｂの短辺側壁２ｂ側のフランジ４に載置した後、上に位置する基準容器Ｃａを、４／３倍容器Ｃｂの短辺側壁２ａ方向にスライドさせると、スライド途中で、上に位置する基準容器Ｃａのポケット・支脚部Ｈ１の幅広支脚ｓ１が、下に位置する４／３倍容器Ｃｂのポケット・支脚部Ｈ１５の２個の幅狭ポケットｐ１を通過することになるが、上述したように、幅広支脚ｓ１の外幅は、幅狭ポケットｐ１の内幅より広いので、上に位置する基準容器Ｃａのポケット・支脚部Ｈ１の幅広支脚ｓ１が、下に位置する４／３倍容器Ｃｂのポケット・支脚部Ｈ１５の２個の幅狭ポケットｐ１に落ち込んで、スライドスタッキングが阻止されるようなことはない。そして、スタッキング状態においては、上に位置する基準容器Ｃａのポケット・支脚部Ｈ１の幅狭支脚ｓ２は、下に位置する４／３倍容器Ｃｂのポケット・支脚部Ｈ１５の短辺側壁２ａ側の幅狭ポケットｐ１の開口に位置するが、幅広支脚ｓ１は、下に位置する４／３倍容器Ｃｂのフランジ４に載置されるとともに、上に位置する基準容器Ｃａのポケット・支脚部Ｈ２の２個の幅狭支脚ｓ２は、下に位置する４／３倍容器Ｃｂのフランジ４に載置されることになる。従って、上に位置する基準容器Ｃａの底部３の４つの角部付近において、上に位置する基準容器Ｃａは、少なくとも、１個の幅広支脚ｓ１或いは幅狭支脚ｓ２により、下に位置する４／３倍容器Ｃｂのフランジ４上に支持されるので、上に位置する基準容器Ｃａが、下に位置する４／３倍容器Ｃｂに対して傾斜することなく、安定した状態でスタッキングできる。
【００５８】
また、下に位置する４／３倍容器Ｃｂのポケット・支脚部Ｈ１５とポケット・支脚部Ｈ１６間に位置するフランジ４に、基準容器Ｃａのポケット・支脚部Ｈ２の短辺側壁２ｂ側に位置する幅狭支脚ｓ２を載置するとともに、基準容器Ｃａの底部３を、４／３倍容器Ｃｂの短辺側壁２ａ側のフランジに載置した後、上に位置する基準容器Ｃａを、４／３倍容器Ｃｂの短辺側壁２ｂ方向にスライドさせて、スタッキング状態に、即ち、基準容器Ｃａの短辺側壁２ｂと下に位置する４／３倍容器Ｃｂの短辺側壁２ｂとが、上下関係に位置した際には、基準容器Ｃａのポケット・支脚部Ｈ２の短辺側壁２ｂ側の幅狭支脚ｓ２は、下に位置する４／３倍容器Ｃｂのポケット・支脚部Ｈ１６の幅狭ポケットｐ１の開口に位置することになるが、容器中央寄りの幅狭支脚ｓ２は、下に位置する４／３倍容器Ｃｂのポケット・支脚部Ｈ１６の幅狭ポケットｐ１まで達することなく、下に位置する４／３倍容器Ｃｂのフランジ４に、依然として載置されているので、スライドスタッキングが阻止されるようなことはない。そして、このようなスタッキング状態においては、基準容器Ｃａのポケット・支脚部Ｈ１を構成する幅広支脚ｓ１と幅狭支脚ｓ２及び基準容器Ｃａのポケット・支脚部Ｈ２を構成する容器中央寄りの幅狭支脚ｓ２は、下に位置する４／３倍容器Ｃｂのフランジ４に載置されているので、上に位置する基準容器Ｃａは、上に位置する基準容器Ｃａの底部４の４つの角部付近において、それぞれ、各ポケット・支脚部Ｈ１、Ｈ２の少なくとも１個の幅広支脚ｓ１或いは幅狭支脚ｓ２により、下に位置する容器Ｃ１のフランジ４に支持されることになるので、上に位置する基準容器Ｃａが、下に位置する４／３倍容器Ｃｂに対して傾斜することなく、安定した状態でスタッキングできる。
【００５９】
次に、下に位置する２倍容器Ｃｃに対して、基準容器Ｃａをスライドスタッキングする場合について説明する。
【００６０】
下に位置する２倍容器Ｃｃのポケット・支脚部Ｈ１７とポケット・支脚部Ｈ１８間に位置するフランジ４に、基準容器Ｃａのポケット・支脚部Ｈ１の幅広支脚ｓ１を載置するとともに、基準容器Ｃａの底部３を、２倍容器Ｃｃの短辺側壁２ｂ側のフランジ４に載置した後、上に位置する基準容器Ｃａを、２倍容器Ｃｃの短辺側壁２ａ方向にスライドさせると、スライド途中で、上に位置する基準容器Ｃａのポケット・支脚部Ｈ１の幅広支脚ｓ１が、下に位置する２倍容器Ｃｃのポケット・支脚部Ｈ１７の２個の幅狭ポケットｐ１を通過することになるが、上述したように、幅広支脚ｓ１の外幅は、幅狭ポケットｐ１の内幅より広いので、上に位置する基準容器Ｃａのポケット・支脚部Ｈ１の幅広支脚ｓ１が、下に位置する２倍容器Ｃｃのポケット・支脚部Ｈ１７の２個の幅狭ポケットｐ１に落ち込んで、スライドスタッキングが阻止されるようなことはない。そして、このようなスタッキング状態においては、上に位置する基準容器Ｃａのポケット・支脚部Ｈ１の幅狭支脚ｓ２は、下に位置する２容器Ｃｃのポケット・支脚部Ｈ１７の短辺側壁２ａ側の幅狭ポケットｐ１の開口に位置するが、幅広支脚ｓ１は、下に位置する２容器Ｃｃのフランジ４に載置されるとともに、上に位置する基準容器Ｃａのポケット・支脚部Ｈ２の２個の幅狭支脚ｓ２は、下に位置する２容器Ｃｃのフランジ４に載置されることになる。従って、上に位置する基準容器Ｃａの底部３の４つの角部付近において、上に位置する基準容器Ｃａは、少なくとも、１個の幅広支脚ｓ１或いは幅狭支脚ｓ２により、下に位置する２倍容器Ｃｃのフランジ４上に支持されるので、上に位置する基準容器Ｃａが、下に位置する２倍容器Ｃｃに対して傾斜することなく、安定した状態でスタッキングできる。
【００６１】
また、下に位置する２倍容器Ｃｃのポケット・支脚部Ｈ１７とポケット・支脚部Ｈ１８間に位置するフランジ４に、基準容器Ｃａのポケット・支脚部Ｈ２の短辺側壁２ｂ側に位置する幅狭支脚ｓ２を載置するとともに、基準容器Ｃａの底部３を、２倍容器Ｃｃの短辺側壁２ａ側のフランジ４に載置した後、上に位置する基準容器Ｃａを、２倍容器Ｃｃの短辺側壁２ｂ方向にスライドさせると、スライド途中において、基準容器Ｃａのポケット・支脚部Ｈ２の短辺側壁２ｂ側の幅狭支脚ｓ２が、下に位置する２倍容器Ｃｃのポケット・支脚部Ｈ１８の幅狭ポケットｐ１を通過することになるが、基準容器Ｃａのポケット・支脚部Ｈ２の短辺側壁２ｂ側の幅狭支脚ｓ２が、下に位置する２倍容器Ｃｃのポケット・支脚部Ｈ１８の幅狭ポケットｐ１を通過途中においては、基準容器Ｃａのポケット・支脚部Ｈ２の容器中央寄りに位置する幅狭支脚ｓ２は、依然として、下に位置する２倍容器Ｃｃのポケット・支脚部Ｈ１７とポケット・支脚部Ｈ１８間に位置するフランジ４に載置されているので、基準容器Ｃａのポケット・支脚部Ｈ２の短辺側壁２ｂ側の幅狭支脚ｓ２が、下に位置する２倍容器Ｃｃのポケット・支脚部Ｈ１８の幅狭ポケットｐ１に落ち込むようなことはなく、従って、スムースなスライドスタッキングを行うことができる。また、スタッキング状態においては、基準容器Ｃａのポケット・支脚部Ｈ２の容器の中央寄りに位置する幅狭支脚ｓ２は、下に位置する２倍容器Ｃｃのポケット・支脚部Ｈ１８の幅狭ポケットｐ１の開口に位置するが、基準容器Ｃａのポケット・支脚部Ｈ２の短辺側壁２ｂ側の幅狭支脚ｓ２は、下に位置する２倍容器Ｃｃのポケット・支脚部Ｈ１８の幅狭ポケットｐ１と幅広ポケットｐ２間に位置するフランジ４に載置されているので、基準容器Ｃａのポケット・支脚部Ｈ２の容器中央寄りに位置する幅狭支脚ｓ２が、下に位置する２倍容器Ｃｃのポケット・支脚部Ｈ１８の幅狭ポケットｐ１に落ち込むようなことがなく、スムースにスライドスタッキングを行うことができる。そして、このようなスタッキング状態においては、基準容器Ｃａのポケット・支脚部Ｈ１を構成する幅広支脚ｓ２と幅狭支脚ｓ２及び基準容器Ｃａのポケット・支脚部Ｈ２を構成する短辺側壁２ｂ側の幅狭支脚ｓ２は、下に位置する２倍容器Ｃｃのフランジ４に載置されているので、上に位置する基準容器Ｃａは、上に位置する基準容器Ｃａの底部４の４つの角部付近において、それぞれ、各ポケット・支脚部Ｈ１、Ｈ２の少なくとも１個の幅広支脚ｓ１或いは幅狭支脚ｓ２により、下に位置する２倍容器Ｃｃのフランジ４に支持されることになるので、上に位置する基準容器Ｃａが、下に位置する２倍容器Ｃｃに対して傾斜することなく、安定した状態でスタッキングできる。
【００６２】
次に、下に位置する２倍容器Ｃｃに対して、４／３倍容器Ｃｂをスライドスタッキングする場合について説明する。
【００６３】
下に位置する２倍容器Ｃｃのポケット・支脚部Ｈ１７とポケット・支脚部Ｈ１８間に位置するフランジ４に、４／３倍容器Ｃｂのポケット・支脚部Ｈ１５の幅広支脚ｓ１を載置するとともに、４／３倍容器Ｃｂの底部３を、２倍容器Ｃｃの短辺側壁２ｂ側のフランジ４に載置した後、上に位置する４／３倍容器Ｃｂを、２倍容器Ｃｃの短辺側壁２ａ方向にスライドさせると、スライド途中で、上に位置する４／３倍容器Ｃｂのポケット・支脚部Ｈ１５の幅広支脚ｓ１が、下に位置する２倍容器Ｃｃのポケット・支脚部Ｈ１７の２個の幅狭ポケットｐ１を通過することになるが、上述したように、幅広支脚ｓ１の外幅は、幅狭ポケットｐ１の内幅より広いので、上に位置する４／３倍容器Ｃｂのポケット・支脚部Ｈ１５の幅広支脚ｓ１が、下に位置する２倍容器Ｃｃのポケット・支脚部Ｈ１７の２個の幅狭ポケットｐ１に落ち込んで、スライドスタッキングが阻止されるようなことはない。そして、このようなスタッキング状態においては、上に位置する４／３倍容器Ｃｂのポケット・支脚部Ｈ１５を構成する幅狭支脚ｓ２は、下に位置する２倍容器Ｃｃのポケット・支脚部Ｈ１７の容器中央寄りの幅狭ポケットｐ１の開口に位置するが、幅広支脚ｓ２は、下に位置する２倍容器Ｃｃのフランジ４に載置されており、また、上に位置する４／３倍容器Ｃｂのポケット・支脚部１６を構成する２個の幅狭支脚ｓ２は、下に位置する２倍容器Ｃｃのフランジ４に載置されている。従って、上に位置する４／３倍容器Ｃｂは、上に位置する４／３倍容器Ｃｂの底部４の４つの角部付近において、それぞれ、各ポケット・支脚部Ｈ１５、Ｈ１６の少なくとも１個の幅広支脚ｓ１或いは幅狭支脚ｓ２により、下に位置する２倍容器Ｃｃのフランジ４に支持されることになるので、上に位置する４／３倍容器Ｃｂが、下に位置する２倍容器Ｃｃに対して傾斜することなく、安定した状態でスタッキングできる。
【００６４】
また、下に位置する２倍容器Ｃｃのポケット・支脚部Ｈ１７とポケット・支脚部Ｈ１８間に位置するフランジ４に、４／３倍容器Ｃｂのポケット・支脚部Ｈ１６の短辺側壁２ｂ側に位置する幅狭支脚ｓ２を載置するとともに、４／３倍容器Ｃｂの底部３を、２倍容器Ｃｃの短辺側壁２ａ側のフランジ４に載置した後、上に位置する４／３倍容器Ｃｂを、２倍容器Ｃｃの短辺側壁２ｂ方向にスライドさせると、スライド途中において、４／３倍容器Ｃｂのポケット・支脚部Ｈ１６の短辺側壁２ｂ側の幅狭支脚ｓ２が、下に位置する２倍容器Ｃｃのポケット・支脚部Ｈ１８の幅狭ポケットｐ１を通過することになるが、４／３倍容器Ｃｂのポケット・支脚部Ｈ１６の短辺側壁２ｂ側の幅狭支脚ｓ２が、下に位置する２倍容器Ｃｃのポケット・支脚部Ｈ１８の幅狭ポケットｐ１を通過途中においては、４／３倍容器Ｃｂのポケット・支脚部Ｈ１６の容器中央寄りに位置する幅狭支脚ｓ２は、依然として、下に位置する２倍容器Ｃｃのポケット・支脚部Ｈ１７とポケット・支脚部Ｈ１８間に位置するフランジ４に載置されているので、４／３倍容器Ｃｂのポケット・支脚部Ｈ１６の短辺側壁２ｂ側の幅狭支脚ｓ２が、下に位置する２倍容器Ｃｃのポケット・支脚部Ｈ１８の幅狭ポケットｐ１に落ち込むようなことはない。また、スタッキング状態においては、４／３倍容器Ｃｂのポケット・支脚部Ｈ１６の容器中央寄りに位置する幅狭支脚ｓ２は、下に位置する２倍容器Ｃｃのポケット・支脚部Ｈ１８の幅狭ポケットｐ１の開口に位置するが、４／３倍容器Ｃｂのポケット・支脚部Ｈ１６の短辺側壁２ｂ側の幅狭支脚ｓ２は、下に位置する２倍容器Ｃｃのポケット・支脚部Ｈ１８の幅狭ポケットｐ１と幅広ポケットｐ２間に位置するフランジ４に載置されているので、４／３倍容器Ｃｂのポケット・支脚部Ｈ１６の容器中央寄りに位置する幅狭支脚ｓ２が、下に位置する２倍容器Ｃｃのポケット・支脚部Ｈ１８の幅狭ポケットｐ１に落ち込むようなことがなく、スムースにスライドスタッキングを行うことができる。そして、このようなスタッキング状態においては、４／３倍容器Ｃｂのポケット・支脚部Ｈ１５を構成する幅広支脚ｓ２と幅狭支脚ｓ２及びポケット・支脚部Ｈ１６を構成する短辺側壁２ｂ側の幅狭支脚ｓ２は、下に位置する２倍容器Ｃｃのフランジ４に載置されているので、上に位置する４／３倍容器Ｃｂは、上に位置する４／３倍容器Ｃｂの底部４の４つの角部付近において、それぞれ、各ポケット・支脚部Ｈ１５、Ｈ１６の少なくとも１個の幅広支脚ｓ１或いは幅狭支脚ｓ２により、下に位置する２倍容器Ｃｃのフランジ４に支持されることになるので、上に位置する４／３倍容器Ｃｂが、下に位置する２倍容器Ｃｃに対して傾斜することなく、安定した状態でスタッキングできる。
【００６５】
図２５には、図２０〜図２３に示されているポケット・支脚部Ｈ１９〜Ｈ２６と同様に、ポケット・支脚部Ｈを構成する幅狭支脚ｓ２と幅狭ポケットｐ１のうち、接近して配置された幅狭支脚ｓ２、幅狭ポケットｐ１の間隔が、異なる間隔、即ち、異間隔のものの別の実施例が示されている。そして、このようなポケット・支脚部Ｈを、上述したと同様に、基準容器Ｃａ、４／３倍容器Ｃｂ及び２倍容器Ｃｃの３つの容器のセットに適用した例が示されている。
【００６６】
図２５（ａ）に示されている基準容器Ｃａにおいては、長辺側壁１ａ、１ｂの一方の相対する端部付近に形成されたポケット・支脚部Ｈ２７は、長辺側壁１ａ、１ｂの一方の端部側（短辺側壁２ａ側）に形成された幅狭支脚ｓ２と、該幅狭支脚ｓ２の容器中央寄りに形成された幅狭支脚ｓ２と、該幅狭支脚ｓ２の容器中央寄りに形成された幅狭ポケットｐ１と、該幅狭ポケットｐ１の容器中央寄りに形成された幅狭ポケットｐ１とから構成されている。そして、２個の幅狭支脚ｓ２の中心線間の隔ｄ７は、容器中央寄りに形成された幅狭支脚ｓ２の中心線と短辺側壁２ａ側に形成された幅狭ポケットｐ１の中心線との間隔ｄ８及び２個の幅狭ポケットｐ１の中心線間の間隔ｄ８より広く形成されている。なお、本実施例においては、容器中央寄りに形成された幅狭支脚ｓ２の中心線と短辺側壁２ａ側の幅狭ポケットｐ１の中心線間の間隔ｄ８と、２個の幅狭ポケットｐ１の中心線間の間隔ｄ８とは同じに形成されている。また、長辺側壁１ａ、１ｂのもう一方の相対する端部付近に形成されたポケット・支脚部Ｈ２８は、長辺側壁１ａ、１ｂのもう一方の端部側（短辺側壁２ｂ側）に形成された幅狭ポケットｐ１と、該幅狭ポケットｐ１の容器中央寄りに形成された幅狭ポケットｐ１と、該幅狭ポケットｐ１の容器中央寄りに形成された幅狭支脚ｓ２と、該幅狭支脚ｓ２の容器中央寄りに形成された幅狭支脚ｓ２とから構成されている。そして、２個の幅狭ポケットｐ１の中心線間の間隔は、上記のポケット・支脚部Ｈ２７の２個の幅狭支脚ｓ２の中心線間の間隔ｄ７と同じ間隔ｄ７に形成されており、容器中央寄りの幅狭ポケットｐ１の中心線と短辺側壁２ｂ側の幅狭支脚ｓ２の中心線との間隔及び２個の幅狭支脚ｓ２の中心線間の間隔は、同じ間隔で、且つ、上記のポケット・支脚部Ｈ２７の容器中央寄りに形成された幅狭支脚ｓ２の中心線と短辺側壁２ａ側の幅狭ポケットｐ１の中心線との間隔ｄ８及び２個の幅狭ポケットｐ１の中心線間の間隔ｄ８と同じ間隔ｄ８に形成されている。
【００６７】
図２５（ｂ）に示されている４／３倍容器Ｃｂにおいては、長辺側壁１ａ、１ｂの一方の相対する端部付近に形成されたポケット・支脚部Ｈ２９は、長辺側壁１ａ、１ｂの一方の端部側（短辺側壁２ａ側）に形成された幅狭支脚ｓ２と、該幅狭支脚ｓ２の容器中央寄りに形成された幅狭ポケットｐ１と、該幅狭ポケットｐ１の容器中央寄りに形成された幅狭支脚ｓ２と、該幅狭支脚ｓ２の容器中央寄りに形成された幅狭ポケットｐ１とから構成されている。そして、短辺側壁２ａ側に形成された幅狭支脚ｓ２の中心線と該幅狭支脚ｓ２の容器中央寄りの幅狭ポケットｐ１の中心線との間隔は、上述した基準容器Ｃａのポケット・支脚部Ｈ２７の２個の幅狭支脚ｓ２の中心線間の隔ｄ７と同じ間隔ｄ７に形成されている。また、上記の短辺側壁２ａ側の幅狭ポケットｐ１の中心線と該幅狭ポケットｐ１の容器中央寄りの幅狭支脚ｓ２の中心線との間隔と、該幅狭支脚ｓ２の中心線と該幅狭支脚ｓ２の容器中央寄りの幅狭ポケットｐ１の中心線との間隔は同じに形成されており、且つ、上述した基準容器Ｃａのポケット・支脚部Ｈ２７のポケット・支脚部Ｈ２７の容器Ｃａの中央寄りの幅狭支脚ｓ２の中心線と短辺側壁２ａ側の幅狭ポケットｐ１の中心線との間隔ｄ８と同じ間隔ｄ８に形成されている。また、長辺側壁１ａ、１ｂのもう一方の相対する端部付近に形成されたポケット・支脚部Ｈ３０は、長辺側壁１ａ、１ｂのもう一方の端部側（短辺側壁２ｂ側）に形成された幅狭ポケットｐ１と、該幅狭ポケットｐ１の容器中央寄りに形成された幅狭支脚ｓ２と、該幅狭支脚ｓ２の容器中央寄りに形成された幅狭ポケットｐ１と、該幅狭ポケットｐ１の容器中央寄りに形成された幅狭支脚ｓ２とから構成されている。そして、長辺側壁１ａ、１ｂの短辺側壁２ｂ側に形成された幅狭ポケットｐ１の中心線と該幅狭ポケットｐ１の容器中央寄りの幅狭支脚ｓ２の中心線との間隔は、上述した基準容器Ｃａのポケット・支脚部Ｈ２７の２個の幅狭支脚ｓ２の中心線間ｄ７と同じ間隔ｄ７に形成されている。また、上記の幅狭支脚ｓ２の中心線と該幅狭支脚ｓ２の容器中央寄りの幅狭ポケットｐ１の中心線との間隔と、該幅狭ポケットｐ１の中心線と該幅狭ポケットｐ１の容器中央寄りの幅狭支脚ｓ２の中心線との間隔は同じに形成されており、且つ、上述した基準容器Ｃａのポケット・支脚部Ｈ２７のポケット・支脚部Ｈ２７の容器中央寄りに形成された幅狭支脚ｓ２の中心線と短辺側壁２ａ側の幅狭ポケットｐ１の中心線との間隔ｄ８と同じ間隔ｄ８に形成されている。
【００６８】
図２５（ｃ）に示されている２倍容器Ｃｃにおいては、長辺側壁１ａ、１ｂの一方の相対する端部付近に形成されたポケット・支脚部Ｈ３１は、長辺側壁１ａ、１ｂの一方の端部側（短辺側壁２ａ側）に形成された幅狭支脚ｓ２と、該幅狭支脚ｓ２の容器中央寄りに形成された幅狭ポケットｐ１と、該幅狭ポケットｐ１の容器中央寄りに形成された幅狭ポケットｐ１と、該幅狭ポケットｐ１の容器中央寄りに形成された幅狭支脚ｓ２とから構成されている。そして、短辺側壁２ａ側に形成された幅狭支脚ｓ２の中心線と該幅狭支脚ｓ２の容器中央寄りの幅狭ポケットｐ１の中心線との間隔は、上述した基準容器Ｃａのポケット・支脚部Ｈ２７の２個の幅狭支脚ｓ２の中心線間の間隔ｄ７と同じ間隔ｄ７に形成されている。また、上記の幅狭ポケットｐ１の中心線と該幅狭ポケットｐ１の容器中央寄りの幅狭ポケットｐ１の中心線との間隔と、該幅狭ポケットｐ１の中心線と該幅狭ポケットｐ１の容器中央寄りの幅狭支脚ｓ２の中心線との間隔は同じに形成されており、且つ、上述した基準容器Ｃａのポケット・支脚部Ｈ２７のポケット・支脚部Ｈ２７の容器中央寄りに形成された幅狭支脚ｓ２の中心線と短辺側壁２ａ側に形成された幅狭ポケットｐ１の中心線との間隔ｄ８と同じ間隔ｄ８に形成されている。また、長辺側壁１ａ、１ｂのもう一方の相対する端部付近に形成されたポケット・支脚部Ｈ３２は、長辺側壁１ａ、１ｂのもう一方の端部側（短辺側壁２ｂ側）に形成された幅狭ポケットｐ１と、該幅狭ポケットｐ１の容器中央寄りに形成された幅狭支脚ｓ２と、該幅狭支脚ｓ２の容器中央寄りに形成された幅狭支脚ｓ２と、該幅狭支脚ｓ２の容器中央寄りに形成された幅狭ポケットｐ１とから構成されている。そして、短辺側壁２ｂ側に形成された幅狭ポケットｐ１の中心線と該幅狭ポケットｐ１の容器中央寄りの幅狭支脚ｓ２の中心線との間隔は、上述した基準容器Ｃａのポケット・支脚部Ｈ２７の２個の幅狭支脚ｓ２の中心線間の隔ｄ７と同じ間隔ｄ７に形成されている。また、上記の幅狭支脚ｓ２の中心線と該幅狭支脚ｓ２の容器中央寄りの幅狭支脚ｓ２の中心線との間隔と、該幅狭支脚ｓ２の中心線と該幅狭支脚ｓ２の容器中央寄りの幅狭ポケットｐ１の中心線との間隔は同じに形成されており、且つ、上述した基準容器Ｃａのポケット・支脚部Ｈ２７の容器中央寄りに形成された幅狭支脚ｓ２の中心線と短辺側壁２ａ側の幅狭ポケットｐ１の中心線との間隔ｄ８と同じ間隔ｄ８に形成されている。
【００６９】
図２５に示されている基準容器Ｃａ同士、４／３倍容器Ｃｂ同士及び２倍容器Ｃｃ同士は、上述したように、それぞれ、互いにスタッキング及びネスティングが可能に構成されており、また、スライドスタッキングが可能である。
【００７０】
次に、下に位置する４／３倍容器Ｃｂに対して、基準容器Ｃａをスライドスタッキングする場合について説明する。
【００７１】
下に位置する４／３倍容器Ｃｂのポケット・支脚部Ｈ２９とポケット・支脚部Ｈ３０間に位置するフランジ４に、基準容器Ｃａのポケット・支脚部Ｈ２７の短辺側壁２ａ側の幅狭支脚ｓ２を載置するとともに、基準容器Ｃａの底部３を、４／３倍容器Ｃｂの短辺側壁２ｂ側のフランジ４に載置した後、上に位置する基準容器Ｃａを、４／３倍容器Ｃｂの短辺側壁２ａ方向にスライドさせると、スライド途中で、上に位置する基準容器Ｃａのポケット・支脚部Ｈ２７の短辺側壁２ａ側の幅狭支脚ｓ２が、先ず最初に、下に位置する４／３倍容器Ｃｂのポケット・支脚部Ｈ２９の容器中央寄り幅狭ポケットｐ１を通過することになるが、上に位置する基準容器Ｃａのポケット・支脚部Ｈ２７の短辺側壁２ａ側の幅狭支脚ｓ２が、下に位置する４／３倍容器Ｃｂのポケット・支脚部Ｈ２９の容器中央寄りの幅狭ポケットｐ１を通過途中においては、上に位置する基準容器Ｃａのポケット・支脚部Ｈ２７の容器中央寄りの幅狭支脚ｓ２が、下に位置する４／３倍容器Ｃｂのフランジ４に載置されているので、上に位置する基準容器Ｃａのポケット・支脚部Ｈ２７の短辺側壁２ａ側の幅狭支脚ｓ２が、下に位置する４／３倍容器Ｃｂのポケット・支脚部Ｈ２９の容器中央寄りの幅狭ポケットｐ１に落ち込んで、スライドスタッキングが阻止されるようなことはない。また、上に位置する基準容器Ｃａのポケット・支脚部Ｈ２７の短辺側壁２ａ側の幅狭支脚ｓ２が、下に位置する４／３倍容器Ｃｂのポケット・支脚部Ｈ２９の短辺側壁２ａ側の幅狭ポケットｐ１の開口に入る直前において、上に位置する基準容器Ｃａのポケット・支脚部Ｈ２７の容器中央寄りの幅狭支脚ｓ２は、下に位置する４／３倍容器Ｃｂのポケット・支脚部Ｈ２９の容器中央寄りの幅狭ポケットｐ１を通過して、幅狭ポケットｐ１間に位置するフランジ４に載置されるように構成されているので、上に位置する基準容器Ｃａのポケット・支脚部Ｈ２７の短辺側壁２ａ側の幅狭支脚ｓ２が、下に位置する４／３倍容器Ｃｂのポケット・支脚部Ｈ２９の短辺側壁２ａ側の幅狭ポケットｐ１に落ち込んで、スライドスタッキングが阻止されるようなことはない。そして、スタッキング状態においては、上に位置する基準容器Ｃａのポケット・支脚部Ｈ２７の容器中央寄りの支脚ｓ２は、下に位置する４／３倍容器Ｃｂのポケット・支脚部Ｈ２９の短辺側壁２ａ側の幅狭ポケットｐ１の開口に位置するが、上に位置する基準容器Ｃａのポケット・支脚部Ｈ２７の短辺側壁２ａ側の幅狭支脚ｓ２は、下に位置する４／３倍容器Ｃｂのフランジ４に載置されており、また、上に位置する基準容器Ｃａのポケット・支脚部Ｈ２８の２個の幅狭支脚ｓ２は、下に位置する４／３倍容器Ｃｂのフランジ４に載置されることになる。このように、スタッキング状態においては、上に位置する基準容器Ｃａの底部３の４つの角部付近において、上に位置する基準容器Ｃａは、少なくとも、１個の幅狭支脚ｓ２により、下に位置する４／３倍容器Ｃｂのフランジ４上に支持されるので、上に位置する基準容器Ｃａが、下に位置する４／３倍容器Ｃｂに対して傾斜することなく、安定した状態でスタッキングできる。
【００７２】
また、下に位置する４／３倍容器Ｃｂのポケット・支脚部Ｈ２９とポケット・支脚部Ｈ３０間に位置するフランジ４に、基準容器Ｃａのポケット・支脚部Ｈ２８の短辺側壁２ｂ側に位置する幅狭支脚ｓ２を載置するとともに、基準容器Ｃａの底部３を、４／３倍容器Ｃｂの短辺側壁２ａ側のフランジに載置した後、上に位置する基準容器Ｃａを、４／３倍容器Ｃｂの短辺側壁２ｂ方向にスライドさせて、スタッキング状態に、即ち、基準容器Ｃａの短辺側壁２ｂと下に位置する４／３倍容器Ｃｂの短辺側壁２ｂとが、上下関係に位置した際には、基準容器Ｃａのポケット・支脚部Ｈ２８の短辺側壁２ｂ側の幅狭支脚ｓ２は、下に位置する４／３倍容器Ｃｂのポケット・支脚部Ｈ３０の容器中央寄りの幅狭ポケットｐ１の開口に位置することになるが、容器中央寄りの幅狭支脚ｓ２は、下に位置する４／３倍容器Ｃｂのポケット・支脚部Ｈ３０の容器中央寄りの幅狭ポケットｐ１まで達することなく、下に位置する４／３倍容器Ｃｂのフランジ４に、依然として載置されているので、スライドスタッキングが阻止されるようなことはない。そして、このようなスタッキング状態においては、基準容器Ｃａのポケット・支脚部Ｈ２８を構成する容器中央寄りの幅狭支脚ｓ２及び基準容器Ｃａのポケット・支脚部Ｈ２７を構成する２個の幅狭支脚ｓ２は、下に位置する４／３倍容器Ｃｂのフランジ４に載置されているので、上に位置する基準容器Ｃａは、上に位置する基準容器Ｃａの底部４の４つの角部付近において、それぞれ、各ポケット・支脚部Ｈ２７、Ｈ２８の少なくとも１個の幅狭支脚ｓ２により、下に位置する容器Ｃｂのフランジ４に支持されることになるので、上に位置する基準容器Ｃａが、下に位置する４／３倍容器Ｃｂに対して傾斜することなく、安定した状態でスタッキングできる。
【００７３】
次に、下に位置する２倍容器Ｃｃに対して、基準容器Ｃａをスライドスタッキングする場合について説明する。
【００７４】
下に位置する２倍容器Ｃｃのポケット・支脚部Ｈ３１とポケット・支脚部Ｈ３２間に位置するフランジ４に、基準容器Ｃａのポケット・支脚部Ｈ２７の短辺側壁２ａ側の幅狭支脚ｓ２を載置するとともに、基準容器Ｃａの底部３を、２倍容器Ｃｃの短辺側壁２ｂ側のフランジ４に載置した後、上に位置する基準容器Ｃａを、２倍容器Ｃｃの短辺側壁２ａ方向にスライドさせると、スライド途中で、上に位置する基準容器Ｃａのポケット・支脚部Ｈ２７の短辺側壁２ａ側の幅狭支脚ｓ２が、下に位置する２倍容器Ｃｃのポケット・支脚部Ｈ３１の容器中央寄りの幅狭ポケットｐ１を通過することになるが、上に位置する基準容器Ｃａのポケット・支脚部Ｈ２７の短辺側壁２ａ側の幅狭支脚ｓ２が、下に位置する２倍容器Ｃｃのポケット・支脚部Ｈ３１の容器中央寄りの幅狭ポケットｐ１を通過途中においては、上に位置する基準容器Ｃａのポケット・支脚部Ｈ２７の容器中央寄りの幅狭支脚ｓ２は、依然として、下に位置する２倍容器Ｃｃのフランジ４に載置されているので、上に位置する基準容器Ｃａのポケット・支脚部Ｈ２７の短辺側壁２ａ側の幅狭支脚ｓ２が、下に位置する２倍容器Ｃｃのポケット・支脚部Ｈ３１の容器中央寄りの幅狭ポケットｐ１に落ち込むようなことがない。また、上に位置する基準容器Ｃａのポケット・支脚部Ｈ２７の容器中央寄りの幅狭支脚ｓ２が、下に位置する２倍容器Ｃｃのポケット・支脚部Ｈ３１の容器中央寄りの幅狭ポケットｐ１の開口に入る直前において、上に位置する基準容器Ｃａのポケット・支脚部Ｈ２７の短辺側壁２ａ側の幅狭支脚ｓ２は、下に位置する２倍容器Ｃｃのポケット・支脚部Ｈ３１の短辺側壁２ａ側の幅狭ポケットｐ１を通過して、フランジ４に載置されるように構成されているので、上に位置する基準容器Ｃａのポケット・支脚部Ｈ２７の容器中央寄りの幅狭支脚ｓ２が、下に位置する２倍容器Ｃｃのポケット・支脚部Ｈ３１の容器中央寄りの幅狭ポケットｐ１に落ち込んで、スライドスタッキングが阻止されるようなことはない。そして、このようなスタッキング状態においては、基準容器Ｃａのポケット・支脚部Ｈ２７を構成する短辺側壁２ａ側の幅狭支脚ｓ２及び基準容器Ｃａのポケット・支脚部Ｈ２８を構成する２個の幅狭支脚ｓ２が、下に位置する２倍容器Ｃｃのフランジ４に載置されているので、上に位置する基準容器Ｃａは、上に位置する基準容器Ｃａの底部４の４つの角部付近において、それぞれ、各ポケット・支脚部Ｈ２７、Ｈ２８の少なくとも１個の幅狭支脚ｓ２により、下に位置する２倍容器Ｃｃのフランジ４に支持されることになるので、上に位置する基準容器Ｃａが、下に位置する２倍容器Ｃｃに対して傾斜することなく、安定した状態でスタッキングできる。
【００７５】
また、下に位置する２倍容器Ｃｃのポケット・支脚部Ｈ３１とポケット・支脚部Ｈ３２間に位置するフランジ４に、基準容器Ｃａのポケット・支脚部Ｈ２８の短辺側壁２ｂ側に位置する幅狭支脚ｓ２を載置するとともに、基準容器Ｃａの底部３を、２倍容器Ｃｃの短辺側壁２ａ側のフランジ４に載置した後、上に位置する基準容器Ｃａを、２倍容器Ｃｃの短辺側壁２ｂ方向にスライドさせると、スライド途中において、基準容器Ｃａのポケット・支脚部Ｈ２８の短辺側壁２ｂ側の幅狭支脚ｓ２が、下に位置する２倍容器Ｃｃのポケット・支脚部Ｈ３２の容器中央寄りの幅狭ポケットｐ１を通過することになるが、基準容器Ｃａのポケット・支脚部Ｈ２８の短辺側壁２ｂ側の幅狭支脚ｓ２が、下に位置する２倍容器Ｃｃのポケット・支脚部Ｈ３２の容器中央寄りの幅狭ポケットｐ１を通過途中においては、基準容器Ｃａのポケット・支脚部Ｈ２８の容器中央寄りに位置する幅狭支脚ｓ２は、依然として、下に位置する２倍容器Ｃｃのフランジ４に載置されているので、基準容器Ｃａのポケット・支脚部Ｈ２８の短辺側壁２ｂ側の幅狭支脚ｓ２が、下に位置する２倍容器Ｃｃのポケット・支脚部Ｈ３２の容器中央寄りの幅狭ポケットｐ１に落ち込むようなことはない。また、上に位置する基準容器Ｃａのポケット・支脚部Ｈ２８の容器中央寄りの幅狭支脚ｓ２が、下に位置する２倍容器Ｃｃのポケット・支脚部Ｈ３２の容器中央寄りの幅狭ポケットｐ１の開口に達した時点においては、上に位置する基準容器Ｃａのポケット・支脚部Ｈ２８の短辺側壁２ｂ側のは幅狭支脚ｓ２は、下に位置する２倍容器Ｃｃのポケット・支脚部Ｈ３２の容器中央寄りの幅狭ポケットｐ１を通過して、フランジ４に載置されているので、上に位置する基準容器Ｃａのポケット・支脚部Ｈ２８の容器中央寄りの幅狭支脚ｓ２が、下に位置する２倍容器Ｃｃのポケット・支脚部Ｈ３２の容器中央寄りの幅狭ポケットｐ１に落ち込むようなことがない。そして、スタッキング状態においては、基準容器Ｃａのポケット・支脚部Ｈ２８の容器中央寄りに位置する幅狭支脚ｓ２は、下に位置する２倍容器Ｃｃのポケット・支脚部Ｈ３２の容器中央寄りの幅狭ポケットｐ１の開口に位置するが、基準容器Ｃａのポケット・支脚部Ｈ２８の短辺側壁２ｂ側の幅狭支脚ｓ２は、下に位置する２倍容器Ｃｃのポケット・支脚部Ｈ３２の２個の幅狭ポケットｐ１間に位置するフランジ４に載置されているので、上に位置する基準容器Ｃａは、上に位置する基準容器Ｃａの底部４の４つの角部付近において、それぞれ、各ポケット・支脚部Ｈ２７、Ｈ２８の少なくとも１個の幅狭支脚ｓ２により、下に位置する２倍容器Ｃｃのフランジ４に支持されることになるので、上に位置する基準容器Ｃａが、下に位置する２倍容器Ｃｃに対して傾斜することなく、安定した状態でスタッキングできる。
【００７６】
次に、下に位置する２倍容器Ｃｃに対して、４／３倍容器Ｃｂをスライドスタッキングする場合について説明する。
【００７７】
下に位置する２倍容器Ｃｃのポケット・支脚部Ｈ３１とポケット・支脚部Ｈ３２間に位置するフランジ４に、４／３倍容器Ｃｂのポケット・支脚部Ｈ２９の幅狭支脚ｓ１を載置するとともに、４／３倍容器Ｃｂの底部３を、２倍容器Ｃｃの短辺側壁２ｂ側のフランジ４に載置した後、上に位置する４／３倍容器Ｃｂを、２倍容器Ｃｃの短辺側壁２ａ方向にスライドさせると、スライド途中で、上に位置する４／３倍容器Ｃｂのポケット・支脚部Ｈ２９の短辺側壁２ａ側の幅狭支脚ｓ２が、下に位置する２倍容器Ｃｃのポケット・支脚部Ｈ３１の２個のポケットｐ１を通過することになるが、上に位置する４／３倍容器Ｃｂのポケット・支脚部Ｈ２９の短辺側壁２ａ側の幅狭支脚ｓ２が、下に位置する２倍容器Ｃｃのポケット・支脚部Ｈ３１の容器中央寄りの幅狭ポケットｐ１を通過途中においては、上に位置する４／３倍容器Ｃｂのポケット・支脚部Ｈ２９の容器中央寄りの幅狭支脚ｓ２は、下に位置する２倍容器Ｃｃのフランジ４に載置されているので、上に位置する４／３倍容器Ｃｂのポケット・支脚部Ｈ２９の短辺側壁２ａ側の幅狭支脚ｓ２が、下に位置する２倍容器Ｃｃのポケット・支脚部Ｈ３１の容器中央寄りの幅狭ポケットｐ１に落ち込むようなことがない。そして、上に位置する４／３倍容器Ｃｂのポケット・支脚部Ｈ２９の中央寄りの幅狭支脚ｓ２が、下に位置する２倍容器Ｃｃのポケット・支脚部Ｈ３１の中央寄りの幅狭ポケットｐ１の開口に位置する直前においては、上に位置する４／３倍容器Ｃｂのポケット・支脚部Ｈ２９の短辺側壁２ａ側の幅狭支脚ｓ２が、下に位置する２倍容器Ｃｃのフランジに載置されているので、上に位置する４／３倍容器Ｃｂのポケット・支脚部Ｈ２９の中央寄りの幅狭支脚ｓ２が、下に位置する２倍容器Ｃｃのポケット・支脚部Ｈ３１の中央寄りの幅狭ポケットｐ１に落ち込むようなことがない。そして、このようなスタッキング状態においては、４／３倍容器Ｃｂのポケット・支脚部Ｈ２９を構成する容器中央寄りの幅狭支脚ｓ２は、下に位置する２倍容器Ｃｃのポケット・支脚部Ｈ３１の中央寄りの幅狭ポケットｐ１の開口に位置しているが、４／３倍容器Ｃｂのポケット・支脚部Ｈ２９を構成する短辺側壁２ａ側の幅狭支脚ｓ２は、下に位置する２倍容器Ｃｃのフランジに４に載置されており、また、上に位置する４／３倍容器Ｃｂのポケット・支脚部Ｈ３０の２個の幅狭支脚ｓ２は、下に位置する２倍容器Ｃｃのフランジに４に載置されているので、上に位置する４／３倍容器Ｃｂは、上に位置する４／３倍容器Ｃｂの底部４の４つの角部付近において、それぞれ、各ポケット・支脚部Ｈ２９、Ｈ３０の少なくとも１個の幅狭支脚ｓ２により、下に位置する２倍容器Ｃｃのフランジ４に支持されることになるので、上に位置する４／３倍容器Ｃｂが、下に位置する２倍容器Ｃｃに対して傾斜することなく、安定した状態でスタッキングできる。
【００７８】
また、下に位置する２倍容器Ｃｃのポケット・支脚部Ｈ３１とポケット・支脚部Ｈ３２間に位置するフランジ４に、４／３倍容器Ｃｂのポケット・支脚部Ｈ３０の短辺側壁２ｂ側に位置する幅狭支脚ｓ２を載置するとともに、４／３倍容器Ｃｂの底部３を、２倍容器Ｃｃの短辺側壁２ａ側のフランジ４に載置した後、上に位置する４／３倍容器Ｃｂを、２倍容器Ｃｃの短辺側壁２ｂ方向にスライドさせると、スライド途中において、４／３倍容器Ｃｂのポケット・支脚部Ｈ３０の短辺側壁２ｂ側の幅狭支脚ｓ２が、下に位置する２倍容器Ｃｃのポケット・支脚部Ｈ３２の容器中央寄りの幅狭ポケットｐ１を通過することになるが、４／３倍容器Ｃｂのポケット・支脚部Ｈ３０の短辺側壁２ｂ側の幅狭支脚ｓ２が、下に位置する２倍容器Ｃｃのポケット・支脚部Ｈ３２の容器中央寄りの幅狭ポケットｐ１を通過途中においては、４／３倍容器Ｃｂのポケット・支脚部Ｈ３０の容器中央寄りに位置する幅狭支脚ｓ２は、依然として、下に位置する２倍容器Ｃｃのポケット・支脚部Ｈ３１とポケット・支脚部Ｈ３２間に位置するフランジ４に載置されているので、４／３倍容器Ｃｂのポケット・支脚部Ｈ３０の短辺側壁２ｂ側の幅狭支脚ｓ２が、下に位置する２倍容器Ｃｃのポケット・支脚部Ｈ３２の容器中央寄りのポケットｐ１に落ち込むようなことはない。また、上に位置する４／３倍容器Ｃｂのポケット・支脚部Ｈ３０の中央寄りの幅狭支脚ｓ２が、下に位置する２倍容器Ｃｃのポケット・支脚部Ｈ３２の容器中央寄りの幅狭ポケットｐ１を通過途中においては、上に位置する４／３倍容器Ｃｂのポケット・支脚部Ｈ３０の短辺側壁２ｂ側の幅狭支脚ｓ２は、下に位置する２倍容器Ｃｃのポケット・支脚部Ｈ３２の２個の幅狭ポケットｐ１間に位置するフランジ４に載置されているので、上に位置する４／３倍容器Ｃｂのポケット・支脚部Ｈ３０の中央寄りの幅狭支脚ｓ２が、下に位置する２倍容器Ｃｃのポケット・支脚部Ｈ３２の容器中央寄りの幅狭ポケットｐ１に落ち込むようなことはない。そして、スタッキング状態においては、４／３倍容器Ｃｂのポケット・支脚部Ｈ３０の容器中央寄りに位置する幅狭支脚ｓ２は、下に位置する２倍容器Ｃｃのポケット・支脚部Ｈ３２の容器中央寄りの幅狭ポケットｐ１の開口に位置するが、４／３倍容器Ｃｂのポケット・支脚部Ｈ３０の短辺側壁２ｂ側の幅狭支脚ｓ２は、下に位置する２倍容器Ｃｃのポケット・支脚部Ｈ３２の２個の幅狭ポケットｐ１間に位置するフランジ４に載置されているとともに、上に位置する４／３倍容器Ｃｂのポケット・支脚部Ｈ２９の２個の幅狭支脚ｓ２は、下に位置する２倍容器Ｃｃのフランジ４に載置されているので、上に位置する４／３倍容器Ｃｂは、上に位置する４／３倍容器Ｃｂの底部４の４つの角部付近において、それぞれ、各ポケット・支脚部Ｈ２９、Ｈ３０の少なくとも１個の幅狭支脚ｓ２により、下に位置する２倍容器Ｃｃのフランジ４に支持されることになるので、上に位置する４／３倍容器Ｃｂが、下に位置する２倍容器Ｃｃに対して傾斜することなく、安定した状態でスタッキングできる。
【００７９】
上述した実施例において、長辺側壁１ａ、１ｂにのみ、上述したようなポケット・支脚部Ｈを形成した例を用いて、本発明の運搬用容器について説明したが、上述したようなポケット・支脚部Ｈを短辺側壁２ａ、２ｂにも形成することができる。
【００８０】
図２６には、一例として、基準容器Ｃａに対して、短辺側壁２ａ、２ｂの長さは同じであるが、長辺側壁１ａ、１ｂの長さが、長い３個の容器Ｃｂ、Ｃｃ、Ｃｄのセットが示されている。なお、図２６に示されている符号Ｈ１９〜Ｈ２６は、接近して配置されたポケット同士の間隔や支脚同士の間隔やポケットと支脚間の間隔の少なくとも１つの間隔が、他の間隔と異なる例、即ち、異間隔の例が示されている上述した図２０〜図２３におけるポケット・支脚部Ｈ１９〜Ｈ２６を指している。
【００８１】
基準容器Ｃａは、その長辺側壁１ａ、１ｂの一方の相対する端部付近に、ポケット・支脚部Ｈ２５が形成されており、長辺側壁１ａ、１ｂのもう一方の相対する端部付近には、ポケット・支脚部Ｈ２６が形成されている。また、基準容器Ｃａの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００８２】
また、基準容器Ｃａの長辺側壁１ａ、１ｂより長い長辺側壁１ａ、１ｂを有する容器Ｃｂは、その長辺側壁１ａ、１ｂの一方の相対する端部付近に、ポケット・支脚部Ｈ１９が形成されており、長辺側壁１ａ、１ｂのもう一方の相対する端部付近には、ポケット・支脚部Ｈ２０が形成されている。また、容器Ｃｂの相対する短辺側壁２ａ、２ｂの一方の短辺側壁２ａには、所定の間隔を置いて、ポケット・支脚部Ｈ２５が形成されており、また、もう一方の短辺側壁２ｂには、ポケット・支脚部Ｈ２５に対向するように、ポケット・支脚部Ｈ２６が形成されている。
【００８３】
更に、上述した容器Ｃｂの長辺側壁１ａ、１ｂより長い長辺側壁１ａ、１ｂを有する容器Ｃｃは、その長辺側壁１ａ、１ｂの一方の相対する端部付近に、ポケット・支脚部Ｈ２１が形成されており、長辺側壁１ａ、１ｂのもう一方の相対する端部付近には、ポケット・支脚部Ｈ２２が形成されている。また、容器Ｃｃの相対する短辺側壁２ａ、２ｂの一方の短辺側壁２ａには、所定の間隔を置いて、ポケット・支脚部Ｈ２５が形成されており、もう一方の短辺側壁２ｂには、ポケット・支脚部Ｈ２５に対向するように、ポケット・支脚部Ｈ２６が形成されている。
【００８４】
更にまた、上述した容器Ｃｃの長辺側壁１ａ、１ｂより長い長辺側壁１ａ、１ｂを有する容器Ｃｄは、その長辺側壁１ａ、１ｂの一方の相対する端部付近に、ポケット・支脚部Ｈ１９が形成されており、長辺側壁１ａ、１ｂのもう一方の相対する端部付近には、ポケット・支脚部Ｈ２４が形成されている。また、容器Ｃｃの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００８５】
上述した基準容器Ｃａ同士、容器Ｃｂ同士、容器Ｃｃ同士、容器Ｃｄ同士は、それぞれ、互いにスタッキング及びネスティングが可能に構成されており、また、スライドスタッキングが可能である。また、長辺側壁１ａ、１ｂのより長い容器の上に、長辺側壁１ａ、１ｂのより短い容器が、スライドスタッキング可能に構成されており、そして、スタッキング状態においては、上に位置する容器は、上述した実施例と同様に、上に位置する容器の底部の４つの角部付近において、それぞれ、各ポケット・支脚部Ｈの少なくとも１個の幅広支脚或いは幅狭支脚により、下に位置する容器のフランジに支持されるように構成されているので、上に位置する容器が、下に位置する容器に対して傾斜することなく、安定した状態でスタッキングできる。
【００８６】
図２７には、一例として、基準容器Ｃａと、基準容器Ｃａの長辺側壁１ａ、１ｂと同じ長さの短辺側壁２ａ、２ｂを有するとともに、基準容器Ｃａの短辺側壁２ａ、２ｂの２倍の長さの長辺側壁１ａ、１ｂを有する容器Ｃｂと、基準容器Ｃａの短辺側壁２ａ、２ｂと同じ長さの短辺側壁２ａ、２ｂを有するとともに、上記の容器Ｃｂの長辺側壁１ａ、１ｂと同じ長さの長辺側壁１ａ、１ｂを有する容器Ｃｃが示されている。なお、図２７に示されている符号Ｈ１９、Ｈ２０、Ｈ２５、Ｈ２６は、接近して配置されたポケット同士の間隔や支脚同士の間隔やポケットと支脚間の間隔の少なくとも１つの間隔が、他の間隔と異なる例、即ち、異間隔の例が示されている上述した図２０〜図２３におけるポケット・支脚部Ｈ１９、Ｈ２０、Ｈ２５、Ｈ２６を指している。
【００８７】
基準容器Ｃａは、その長辺側壁１ａ、１ｂの一方の相対する端部付近に、ポケット・支脚部Ｈ２５が形成されており、長辺側壁１ａ、１ｂのもう一方の相対する端部付近には、ポケット・支脚部Ｈ２６が形成されている。また、基準容器Ｃａの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００８８】
また、容器Ｃｂは、その長辺側壁１ａ、１ｂの一方の相対する端部付近に、ポケット・支脚部Ｈ２５が形成されており、長辺側壁１ａ、１ｂのもう一方の相対する端部付近には、ポケット・支脚部Ｈ２６が形成されている。また、容器Ｃｂの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００８９】
更に、容器Ｃｃは、その長辺側壁１ａ、１ｂの一方の相対する端部付近に、ポケット・支脚部Ｈ１９が形成されており、長辺側壁１ａ、１ｂのもう一方の相対する端部付近には、ポケット・支脚部Ｈ２０が形成されている。また、容器Ｃｃの相対する短辺側壁２ａ、２ｂの一方の短辺側壁２ａには、所定の間隔を置いて、ポケット・支脚部Ｈ２５が形成されており、もう一方の短辺側壁２ｂには、ポケット・支脚部Ｈ２５に対向するように、ポケット・支脚部Ｈ２６が形成されている。
【００９０】
上述した基準容器Ｃａ同士、容器Ｃｂ同士、容器Ｃｃ同士は、それぞれ、互いにスタッキング及びネスティングが可能に構成されており、また、スライドスタッキングが可能である。また、基準容器Ｃａは、基準容器Ｃａの短辺側壁２ａ、２ｂを、容器Ｃｂの長辺側壁１ａ、１ｂに沿うようにスライドさせることにより、下に位置する容器Ｃｂにスライドスタッキングすることができ、更に、容器Ｃｃは、容器Ｃｃの短辺側壁２ａ、２ｂを、容器Ｃｂの短辺側壁２ａ、２ｂに沿うようにスライドさせることにより、下に位置する容器Ｃｂにスライドスタッキングすることができるように構成されている。更にまた、基準容器Ｃａは、基準容器Ｃａの長辺側壁１ａ、１ｂを、容器Ｃｃの長辺側壁１ａ、１ｂに沿うようにスライドさせることにより、下に位置する容器Ｃｃにスライドスタッキングすることができるように構成されている。そして、スタッキング状態においては、上述した実施例と同様に、上に位置容器は、上に位置する容器の底部の４つの角部付近において、それぞれ、各ポケット・支脚部Ｈの少なくとも１個の幅広支脚或いは幅狭支脚により、下に位置する容器のフランジに支持されるように構成されているので、上に位置する容器が、下に位置する容器に対して傾斜することなく、安定した状態でスタッキングできる。
【００９１】
図２８には、一例として、基準容器Ｃａと、基準容器Ｃａの長辺側壁１ａ、１ｂと同じ長さの短辺側壁２ａ、２ｂを有するとともに、基準容器Ｃａの短辺側壁２ａ、２ｂの２倍の長さの長辺側壁１ａ、１ｂを有する容器Ｃｂと、基準容器Ｃａの長辺側壁１ａ、１ｂと同じ長さの短辺側壁２ａ、２ｂを有するとともに、基準容器Ｃａの短辺側壁２ａ、２ｂの２．５倍の長さの長辺側壁１ａ、１ｂを有する容器Ｃｃと、基準容器Ｃａの短辺側壁２ａ、２ｂと同じ長さの短辺側壁２ａ、２ｂを有するとともに、基準容器Ｃａの短辺側壁２ａ、２ｂの３倍の長さの長辺側壁１ａ、１ｂを有する容器Ｃｄと、基準容器Ｃａの長辺側壁１ａ、１ｂと同じ長さの短辺側壁２ａ、２ｂを有するとともに、基準容器Ｃａの短辺側壁２ａ、２ｂの３倍の長さの長辺側壁１ａ、１ｂを有する容器Ｃｅとからなる容器の１セットが示されている。なお、図２８に示されている符号Ｈ１９〜Ｈ２６は、接近して配置されたポケット同士の間隔や支脚同士の間隔やポケットと支脚間の間隔の少なくとも１つの間隔が、他の間隔と異なる例、即ち、異間隔の例が示されている上述した図２０〜図２３におけるポケット・支脚部Ｈ１９〜Ｈ２６を指している。
【００９２】
基準容器Ｃａは、その長辺側壁１ａ、１ｂの一方の相対する端部付近に、ポケット・支脚部Ｈ２５が形成されており、長辺側壁１ａ、１ｂのもう一方の相対する端部付近には、ポケット・支脚部Ｈ２６が形成されている。また、基準容器Ｃａの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００９３】
また、容器Ｃｂは、その長辺側壁１ａ、１ｂの一方の相対する端部付近に、ポケット・支脚部Ｈ２５が形成されており、長辺側壁１ａ、１ｂのもう一方の相対する端部付近には、ポケット・支脚部Ｈ２６が形成されている。また、容器Ｃｂの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００９４】
更に、容器Ｃｃは、その長辺側壁１ａ、１ｂの一方の相対する端部付近に、ポケット・支脚部Ｈ２１が形成されており、長辺側壁１ａ、１ｂのもう一方の相対する端部付近には、ポケット・支脚部Ｈ２２が形成されている。また、容器Ｃｃの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００９５】
更にまた、容器Ｃｄは、その長辺側壁１ａ、１ｂの一方の相対する端部付近に、ポケット・支脚部Ｈ２３が形成されており、長辺側壁１ａ、１ｂのもう一方の相対する端部付近には、ポケット・支脚部Ｈ２４が形成されている。また、容器Ｃｄの相対する短辺側壁２ａ、２ｂの一方の短辺側壁２ａには、所定の間隔を置いて、ポケット・支脚部Ｈ１９が形成されており、もう一方の短辺側壁２ｂには、ポケット・支脚部Ｈ１９に対向するように、ポケット・支脚部Ｈ２０が形成されている。
【００９６】
なお更に、容器Ｃｅは、その長辺側壁１ａ、１ｂの一方の相対する端部付近に、ポケット・支脚部Ｈ２３が形成されており、長辺側壁１ａ、１ｂのもう一方の相対する端部付近には、ポケット・支脚部Ｈ２４が形成されている。また、容器Ｃｄの相対する短辺側壁２ａ、２ｂの一方の短辺側壁２ａには、所定の間隔を置いて、ポケット・支脚部Ｈ２５が形成されており、もう一方の短辺側壁２ｂには、ポケット・支脚部Ｈ２５に対向するように、ポケット・支脚部Ｈ２６が形成されている。
【００９７】
上述した基準容器Ｃａ同士、容器Ｃｂ同士、容器Ｃｃ同士、容器Ｃｄ同士、容器Ｃｅ同士は、それぞれ、互いにスタッキング及びネスティングが可能に構成されており、また、スライドスタッキングが可能である。
【００９８】
基準容器Ｃａは、基準容器Ｃａの短辺側壁２ａ、２ｂを、容器Ｃｅの長辺側壁１ａ、１ｂに沿うようにスライドさせることにより、下に位置する容器Ｃｅにスライドスタッキングすることができ、また、容器Ｃｂは、容器Ｃｂの長辺側壁１ａ、１ｂを、容器Ｃｅの長辺側壁１ａ、１ｂに沿うようにスライドさせることにより、下に位置する容器Ｃｅにスライドスタッキングすることができるように構成されている。更に、容器Ｃｃは、容器Ｃｃの長辺側壁１ａ、１ｂを、容器Ｃｅの長辺側壁１ａ、１ｂに沿うようにスライドさせることにより、下に位置する容器Ｃｅにスライドスタッキングすることができるように構成されている。更にまた、容器Ｃｄは、容器Ｃｄの短辺側壁２ａ、２ｂを、容器Ｃｅの短辺側壁２ａ、２ｂに沿うようにスライドさせることにより、下に位置する容器Ｃｅにスライドスタッキングすることができるように構成されている。なお更に、基準容器Ｃａは、基準容器Ｃａの短辺側壁２ａ、２ｂを、容器Ｃｂ、Ｃｃの長辺側壁１ａ、１ｂに沿うようにスライドさせることにより、下に位置する容器Ｃｂ、Ｃｃに、それぞれ、スライドスタッキングすることができる。更には、容器Ｃｂは、容器Ｃｂの長辺側壁１ａ、１ｂを、容器Ｃｃの長辺側壁１ａ、１ｂに沿うようにスライドさせることにより、下に位置する容器Ｃｃにスライドスタッキングすることができるように構成されている。そして、スタッキング状態においては、上に位置容器は、上に位置する容器の底部の４つの角部付近において、それぞれ、各ポケット・支脚部Ｈの少なくとも１個の幅広支脚或いは幅狭支脚により、下に位置する容器のフランジに支持されるように構成されているので、上に位置する容器が、下に位置する容器に対して傾斜することなく、安定した状態でスタッキングできる。
【００９９】
上述した実施例においては、容器の長辺側壁の両端部付近や短辺側壁の両端部付近に形成されるポケット・支脚部が、２個の支脚と２個のポケット、或いは、２個の支脚と１個のポケット、又は、１個の支脚と２個のポケットから構成されている例が示されているが、容器の長辺側壁の両端部付近や短辺側壁の両端部付近に形成されるポケット・支脚部を、３個以上の支脚と３個以上のポケットにより構成することもできる。
【０１００】
本発明は、上述したように、容器の長辺側壁の両端部付近や短辺側壁の両端部付近に形成されるポケット・支脚部を、少なくとも、３個以上の支脚とポケットにより構成することにより、ポケット・支脚部の種類を増やすことができ、また、ポケット・支脚部を構成する接近して配置されたポケット同士の間隔や支脚同士の間隔やポケットと支脚間の間隔の少なくとも１つの間隔を、他の間隔と異なるように形成することにより、更に、ポケット・支脚部の種類を増やすことができる。このように、ポケット・支脚部の種類を増やすことにより、図２６〜図２８等に示されているように、同じ容器同士が、スタッキング及びネスティングが可能であるとともに、異なる容器同士においては、上に位置する小さい容器が、下に位置する大きな容器に、スライドスタッキングすることが可能な容器セット内における容器の数を増加することができる。従って、数多くの部品や物品等を収納した多数の大きさの異なる容器同士を、スライドスタッキングできるので、部品や物品等が収納された大きさの異なる容器の収容スペースを少なくすることができる。また、同じ大きさの空の容器同士は、ネスティングできるので、空の容器の収容スペースも少なくすることができる。更には、スタッキング状態においては、上に位置容器は、上に位置する容器の底部の４つの角部付近において、それぞれ、各ポケット・支脚部の少なくとも１個の幅広支脚或いは幅狭支脚により、下に位置する容器のフランジに支持されるように構成されているので、上に位置する容器が、下に位置する容器に対して傾斜することなく、安定した状態でスタッキングできる。
【０１０１】
【発明の効果】
本発明は、以上説明したような構成を有するので、以下に記載する効果を奏するものである。
【０１０２】
同じ容器同士が、スタッキング及びネスティングが可能であるとともに、異なる容器同士においては、上に位置する小さい容器が、下に位置する大きな容器に、スライドスタッキングすることが可能な容器セット内における容器の数を増加することができる。従って、数多くの部品や物品等を収納した多数の大きさの異なる容器同士をスタッキングできるので、部品や物品等が収納された大きさの異なる多数の容器の収容スペースを少なくすることができる。また、同じ大きさの空の容器同士は、ネスティングできるので、空の容器の収容スペースも少なくすることができる。更には、スタッキング状態においては、上に位置容器は、上に位置する容器の底部の４つの角部付近において、それぞれ、各ポケット・支脚部の少なくとも１個の支脚により、下に位置する容器のフランジに支持されるように構成されているので、上に位置する容器が、下に位置する容器に対して傾斜することなく、安定した状態でスタッキングできる。
【図面の簡単な説明】
【図１】図１は本発明の運搬用容器の斜視図である。
【図２】図２は図１に示されている運搬用容器の平面図である。
【図３】図３は図１に示されている運搬用容器の部分平面図である。
【図４】図４は図１に示されている運搬用容器のスタッキング状態の斜視図である。
【図５】図５は図１に示されている運搬用容器のネスティング状態の斜視図である。
【図６】図６は図１に示されている運搬用容器のスライドスタッキング状態の斜視図である。
【図７】図７は図１に示されている運搬用容器とセットで使用される運搬用容器の斜視図である。
【図８】図８は図７に示されている運搬用容器の平面図である。
【図９】図９は図７に示されている運搬用容器のスタッキング状態の斜視図である。
【図１０】図１０は図７に示されている運搬用容器のネスティング状態の斜視図である。
【図１１】図１１は図７に示されている運搬用容器の上に図１に示されている運搬用容器がスタッキングされた状態の斜視図である。
【図１２】図１２は本発明の別の実施例の運搬用容器の部分正面図である。
【図１３】図１３は本発明の別の実施例の運搬用容器の部分正面図である。
【図１４】図１４は本発明の別の実施例の運搬用容器の部分正面図である。
【図１５】図１５は本発明の別の実施例の運搬用容器の部分正面図である。
【図１６】図１６は本発明の別の実施例の運搬用容器の部分正面図である。
【図１７】図１７は本発明の別の実施例の運搬用容器の部分正面図である。
【図１８】図１８は本発明の別の実施例の運搬用容器の部分正面図である。
【図１９】図１９は本発明の別の実施例の運搬用容器の部分正面図である。
【図２０】図２０は本発明の別の実施例の運搬用容器の部分正面図である。
【図２１】図２１は本発明の別の実施例の運搬用容器の部分正面図である。
【図２２】図２２は本発明の別の実施例の運搬用容器の部分正面図である。
【図２３】図２３は本発明の別の実施例の運搬用容器の部分正面図である。
【図２４】図２４は本発明の運搬用容器の一例としての１セットの運搬用容器の正面図である。
【図２５】図２５は本発明の運搬用容器の一例としての他の１セットの運搬用容器の正面図である。
【図２６】図２６は本発明の運搬用容器の一例としての１セットの運搬用容器の平面図である。
【図２７】図２７は本発明の運搬用容器の一例としての他の１セットの運搬用容器の平面図である。
【図２８】図２８は本発明の運搬用容器の一例としての更に他の１セットの運搬用容器の平面図である。
【符号の説明】
Ｃ・・・・・・・・運搬用容器
Ｈ・・・・・・・・ポケット・支脚部
ｓ・・・・・・・・支脚
ｐ・・・・・・・・ポケット
１ａ、１ｂ・・・・長辺側壁
２ａ、２ｂ・・・・短辺側壁
３・・・・・・・・底部
４・・・・・・・・フランジ
【図１】
0003919439.tif 000002
【図２】
0003919439.tif 000003
【図３】
0003919439.tif 000004
【図４】
0003919439.tif 000005
【図５】
0003919439.tif 000006
【図６】
0003919439.tif 000007
【図７】
0003919439.tif 000008
【図８】
0003919439.tif 000009
【図９】
0003919439.tif 000010
【図１０】
0003919439.tif 000011
【図１１】
0003919439.tif 000012
【図１２】
0003919439.tif 000013
【図１３】
0003919439.tif 000014
【図１４】
0003919439.tif 000015
【図１５】
0003919439.tif 000016
【図１６】
0003919439.tif 000017
【図１７】
0003919439.tif 000018
【図１８】
0003919439.tif 000019
【図１９】
0003919439.tif 000020
【図２０】
0003919439.tif 000021
【図２１】
0003919439.tif 000022
【図２２】
0003919439.tif 000023
【図２３】
0003919439.tif 000024
【図２４】
0003919439.tif 000025
【図２５】
0003919439.tif 000026
【図２６】
0003919439.tif 000027
【図２７】
0003919439.tif 000028
【図２８】
0003919439.tif 000029